(57)【要約】  【課題】  本発明は、記録装置及び再生装置で重複してコンテンツを記録することなく、且つ、自動的にコンテンツの入れ換えることのできる映像記録再生装置を提供することを目的とする。  【解決手段】  記録装置１に再生装置２が載置されると、再生装置２に記録されているコンテンツが録画開始時刻が早いものから順番に記録装置１に転送されて、再生装置２の記録媒体の空き容量を十分なものとした後、記録装置１で新たに記録されたコンテンツが再生装置２に転送される。【選択図】      図１
2006107549.tif 000002
【特許請求の範囲】
【請求項１】
コンテンツを格納する第１記録媒体と該第１記録媒体で格納された前記コンテンツを再生する再生部とデータの送受信を行う第１インターフェースと装置内の各部に電力供給を行う二次電池と外部より供給される電力の一部により二次電池の充電を行う電力供給用接続部とを備えた再生装置と、前記コンテンツを外部より受信する受信部と該受信部で受信したコンテンツを記録する第２記録媒体と前記再生装置の前記第１インターフェースと接続されてデータの送受信を行う第２インターフェースと前記再生装置の前記電力供給用接続部と接続されて前記再生装置へ電力を供給する電力供給部とを備えた記録装置と、を有し、前記再生装置が前記記録装置と着脱可能である映像記録再生装置において、
前記再生装置が前記記録装置と接続されるとき、
前記電力供給部から前記電力供給用接続部を介して前記再生装置に電力が供給され、
前記第２記録媒体に記録されているコンテンツのうち、前記再生装置に転送されていない前記第２記録媒体に新たに記録されたコンテンツを、前記第１インターフェース及び前記第２インターフェースを介して、前記記録装置から前記再生装置に転送し、前記再生装置に転送したコンテンツを前記第１記録媒体に格納して前記第２記録媒体から削除するとともに、
前記第１記録媒媒体に記録されたコンテンツを、その記録された時刻が早いものから順に、前記第１インターフェース及び前記第２インターフェースを介して、前記再生装置から前記記録装置に転送し、前記記録装置に転送したコンテンツを前記第２記録媒体に格納して前記第１記録媒体から削除することを特徴とする映像記録再生装置。
【請求項２】
前記再生装置が前記記録装置と接続されるとき、
前記記録装置において、前記第１記録媒体で削除されたコンテンツと同一のコンテンツを前記第２記録媒体から削除することを特徴とする請求項１に記載の映像記録再生装置。
【請求項３】
前記再生装置が前記記録装置と接続されるとき、
前記記録装置において、
前記再生装置の前記第１記録媒体で削除されたコンテンツと同一のコンテンツを前記第２記録媒体より削除した後、
前記記録装置と前記再生装置との間のコンテンツの転送動作を行うことを特徴とする請求項２に記載の映像記録再生装置。
【請求項４】
前記再生装置が前記記録装置と接続されるとき、
前記再生装置から前記記録装置へコンテンツの転送動作を行って、前記第１記録媒体に空き容量を形成した後に、
前記記録装置から前記再生装置へコンテンツの転送動作を行うことを特徴とする請求項１〜請求項３のいずれかに記載の映像記録再生装置。
【請求項５】
前記記録装置から前記再生装置へコンテンツの転送動作を行うとき、
前記第２記録媒体に格納されているコンテンツの容量が所定量以上となるとき、まず、前記第２記録媒体に格納されているコンテンツを記録した時刻が早いものから順番に削除して、前記第２記録媒体に空き容量を形成した後に、
前記第１記録媒体内のコンテンツを、前記第１インターフェース及び前記第２インターフェースを介して、前記再生装置から前記記録装置に転送することを特徴とする請求項１〜請求項４のいずれかに記載の映像記録再生装置。
【請求項６】
前記第１記録媒体に格納するコンテンツを符号化するための第１符号化方式と、前記第２記録媒体に格納するコンテンツを符号化するための第２符号化方式とが異なることを特徴とする請求項１〜請求項５のいずれかに記載の映像記録再生装置。
【請求項７】
前記第１符号化方式によるデータの圧縮率が前記第２符号化方式よりも高いことを特徴とする請求項６に記載の映像記録再生装置。
【請求項８】
前記記録装置が、前記第２記録媒体に格納されたコンテンツを第１符号化方式で符号化する第１符号化部を備えることを特徴とする請求項６又は請求項７に記載の映像記録再生装置。
【請求項９】
前記再生装置が、前記第２記録媒体に格納されたコンテンツを第１符号化方式で符号化する第１符号化部を備えることを特徴とする請求項６又は請求項７に記載の映像記録再生装置。
【請求項１０】
前記記録装置の前記記録媒体に記録する前記コンテンツと当該コンテンツの記録動作を行う時間とを予約する記録予約機能を備え、
前記再生装置が、前記記録予約機能によって記録予約された予約情報を前記メモリに格納するとともに当該予約情報を前記記録装置に転送していないことを確認したときに警告を与える第１警告部を備えることを特徴とする請求項１〜請求項９のいずれかに記載の映像記録再生装置。
【請求項１１】
前記再生装置が、前記第１インターフェースが前記記録装置の前記第２インターフェースに接続されたことを確認すると、前記予約情報を前記記録装置に転送するとともに、前記第１警告部の警告を停止することを特徴とする請求項１０に記載の映像記録再生装置。
【発明の詳細な説明】
【技術分野】
【０００１】
本発明は、放送番組などのコンテンツを録画する映像記録再生装置に関するもので、特に、コンテンツを再生する再生装置を本体から分離して携帯することができる映像記録再生装置に関する。
【背景技術】
【０００２】
近年、ハードディスクやメモリなどの記録媒体の小型化及び大容量化の進歩などに伴って、テレビ放送などのコンテンツを記録することができる大容量の記録媒体を備えた映像記録再生装置が提供されている。又、符号化処理技術において、ＭＰＥＧ（Motion Picture Expert Group）などの圧縮符号化技術の発展に伴い、記録するコンテンツのデータ量が抑えられ、このコンテンツを記録する記録媒体の小型化が進められている。このように小型化された記録媒体を用いることでコンテンツを再生する再生装置を小型化して本体から分離可能とする映像記録再生装置の開発が進められている。このような映像記録再生装置によると、本体の記録媒体で記録されたコンテンツの一部を、再生装置に設けた記録媒体に格納することで、再生装置のみでのコンテンツの再生が可能となる。よって、再生装置を本体から分離して携帯可能とすることができる。
【０００３】
この映像記録再生装置における再生装置となる動画表示装置を備えるとともに、この動画表示装置と接続したときに動画データを転送する本体となる動画管理装置を有する動画管理方法が、従来技術として提案されている（特許文献１参照）。この動画管理方法において、動画表示装置が動画管理装置と接続されると、動画表示装置に転送することが指示された動画データが動画管理装置より動画表示装置に転送される。又、このとき、動画表示装置では、動画データを記憶させる記憶媒体に空き容量がない場合、視聴済の動画データを自動的に削除する。
【特許文献１】特開２００３−２８９４９１号公報
【発明の開示】
【発明が解決しようとする課題】
【０００４】
しかしながら、特許文献１における動画管理方法においては、記録装置となる動画管理装置から再生装置となる動画表示装置に対して転送するための動画データを指定する必要がある。又、記録装置で格納されている動画データから選択された動画データが再生装置に格納されるため、記録装置と再生装置とから構成される映像記録再生装置で考えた場合、同一の動画データを重複して記録するため、重複して格納する記録領域が必要となる。
【０００５】
又、この特許文献１における動画管理方法においては、再生装置となる動画表示装置側による録画予約設定動作を行うことができない。又、この録画予約設定動作を行うものであっても、実際に本体との通信を行って予約情報を転送しなければ、コンテンツの録画を予約時間に行うことができない。よって、予約録画を実行する時間までに本体に予約情報の転送を行わなければ、ユーザが所望するコンテンツの予約録画が不可能となり、結果、録画が実行されないこととなる。
【０００６】
このような問題を鑑みて、本発明は、記録装置及び再生装置で重複してコンテンツを記録することなく、且つ、自動的にコンテンツの入れ換えることのできる映像記録再生装置を提供することを目的とする。
【課題を解決するための手段】
【０００７】
上記目的を達成するために、本発明の映像記録再生装置は、コンテンツを格納する第１記録媒体と該第１記録媒体で格納された前記コンテンツを再生する再生部とデータの送受信を行う第１インターフェースと装置内の各部に電力供給を行う二次電池と外部より供給される電力の一部により二次電池の充電を行う電力供給用接続部とを備えた再生装置と、前記コンテンツを外部より受信する受信部と該受信部で受信したコンテンツを記録する第２記録媒体と前記再生装置の前記第１インターフェースと接続されてデータの送受信を行う第２インターフェースと前記再生装置の前記電力供給用接続部と接続されて前記再生装置へ電力を供給する電力供給部とを備えた記録装置と、を有し、前記再生装置が前記記録装置と着脱可能である映像記録再生装置において、前記再生装置が前記記録装置と接続されるとき、前記電力供給部から前記電力供給用接続部を介して前記再生装置に電力が供給され、前記第２記録媒体に記録されているコンテンツのうち、前記再生装置に転送されていない前記第２記録媒体に新たに記録されたコンテンツを、前記第１インターフェース及び前記第２インターフェースを介して、前記記録装置から前記再生装置に転送し、前記再生装置に転送したコンテンツを前記第１記録媒体に格納して前記第２記録媒体から削除するとともに、前記第１記録媒媒体に記録されたコンテンツを、その記録された時刻が早いものから順に、前記第１インターフェース及び前記第２インターフェースを介して、前記再生装置から前記記録装置に転送し、前記記録装置に転送したコンテンツを前記第２記録媒体に格納して前記第１記録媒体から削除することを特徴とする。
【０００８】
このような映像記録再生装置において、前記再生装置が前記記録装置と接続されるとき、前記記録装置において、前記第１記録媒体で削除されたコンテンツと同一のコンテンツを前記第２記録媒体から削除するものとしても構わない。このとき、前記再生装置が前記記録装置と接続されるとき、前記記録装置において、前記再生装置の前記第１記録媒体で削除されたコンテンツと同一のコンテンツを前記第２記録媒体より削除した後、前記記録装置と前記再生装置との間のコンテンツの転送動作を行う。
【０００９】
又、前記再生装置が前記記録装置と接続されるとき、前記再生装置から前記記録装置へコンテンツの転送動作を行って、前記第１記録媒体に空き容量を形成した後に、前記記録装置から前記再生装置へコンテンツの転送動作を行うものとしても構わない。更に、前記記録装置から前記再生装置へコンテンツの転送動作を行うとき、前記第２記録媒体に格納されているコンテンツの容量が所定量以上となるとき、まず、前記第２記録媒体に格納されているコンテンツを記録した時刻が早いものから順番に削除して、前記第２記録媒体に空き容量を形成した後に、前記第１記録媒体内のコンテンツを、前記第１インターフェース及び前記第２インターフェースを介して、前記再生装置から前記記録装置に転送するものとしても構わない。
【００１０】
更に、前記第１記録媒体に格納するコンテンツを符号化するための第１符号化方式と、前記第２記録媒体に格納するコンテンツを符号化するための第２符号化方式とが異なるものとしても構わない。このとき、前記記録装置が、前記第２記録媒体に格納されたコンテンツを第１符号化方式で符号化する第１符号化部を備えるものとしても構わないし、前記再生装置が、前記第２記録媒体に格納されたコンテンツを第１符号化方式で符号化する第１符号化部を備えるものとしても構わない。
【００１１】
又、前記再生装置が、時間を計測するタイマを備え、前記予約情報より確認される前記記録動作を開始する記録開始時刻の内の最も早い時刻と前記タイマより確認される現在時刻との時間差に応じて、前記第１警告部の警告動作を切り換えるものとしても構わない。このとき、記再生装置が、前記第１インターフェースが前記記録装置の前記第２インターフェースに接続されたことを確認すると、前記予約情報を前記記録装置に転送するとともに、前記第１警告部の警告を停止する。
【発明の効果】
【００１２】
本発明によると、記録装置と再生装置とが接続されたときに、記録装置と再生装置との間でコンテンツの転送動作が行われ、それぞれが記録しているコンテンツが入れ換えられる。よって、記録装置と再生装置との間で同一のコンテンツが二重に格納されることがないため、映像記録再生装置の記憶媒体の容量を有効に使用することができるとともに、全体の記録容量を低減することができる。更に、再生装置の第１記録媒体に、記録装置の第２記録媒体で新たに記録されたコンテンツを転送するようにすることで、再生装置において常に最新のコンテンツを記録させることができる。又、記録装置と再生装置とで符号化方式を変更することにより、再生装置での符号化方式による圧縮率を高くして再生装置の記録媒体の記録容量を小さくすることができるとともに、記録装置での符号化方式による圧縮率を低くして、再生するコンテンツの復元性を良好にすることができる。又、再生装置で設定された予約情報が記録装置に転送されていないとき、第１警告部によって警告することができるので、ユーザに対して予約情報の記録装置への転送を喚起させることができる。
【発明を実施するための最良の形態】
【００１３】
＜第１の実施形態＞
本発明の第１の実施形態について、図面を参照して説明する。図１は、本実施形態の映像記録再生装置の構成を示す図である。又、図２は、図１の映像記録再生装置における記録装置の内部構成を示すブロック図である。又、図３は、図１の映像記録再生装置における再生装置の内部構成を示すブロック図である。
【００１４】
図１の映像記録再生装置は、放送信号を受信して得られたコンテンツを記録する本体部分である記録装置１と、記録装置１と分離可能であるとともに記録装置１で記録されたコンテンツを再生表示する再生装置２と、を備える。このとき、再生装置２は、二次電池などの充電可能な電源を備えることで可搬性を備えるとともに、又、再生装置２が記録装置１に接続されることで、この電源が充電される。
【００１５】
この映像記録再生装置の本体部分である記録装置１は、図２に示すように、放送信号を受信するアンテナ１１と、アンテナ１１で受信される放送信号を選局するチューナ１２と、チューナ１２で受信された放送信号に対してＭＰＥＧ方式などの圧縮符号化方式を用いて符号化するエンコーダ１３と、エンコーダ１３で放送信号が符号化されて得られたデータ（以下、「コンテンツデータ」とする）を格納するハードディスクなどの記録媒体１４と、記録されたコンテンツに関する情報が格納されたコンテンツ参照用テーブルや各種動作を行うためのプログラムを備えたメモリ１５と、メモリ１５のプログラムによって装置全体の動作を行うＣＰＵ（Central Processing Unit）１６と、再生装置２が載置されることで接続されるとともに再生装置２と通信を行うインターフェース（Ｉ／Ｆ）１７と、各ブロック間の信号を伝達を行うバス１８と、装置内の各ブロックに電力を供給する電源回路１９と、再生装置２の電力供給用接続部３０（図３参照）と接続されるとともに再生装置２の二次電池２９（図３参照）を充電する電力供給部２０と、を備える。
【００１６】
又、この記録装置１に載置されることで通信接続される再生装置２は、図３に示すように、記録装置１のＩ／Ｆ１７と通信接続されるＩ／Ｆ２１と、記録装置１から受信したコンテンツデータが記録されるハードディスクなどの記録媒体２２と、記録媒体２２に記録されたコンテンツに関する情報が格納されたコンテンツ参照用テーブルや各種動作を行うためのプログラムを備えたメモリ２３と、記録媒体２２より読み出されたコンテンツデータを復号化して映像信号及び音声信号に変換するデコーダ２４と、デコーダ２４で得られた映像信号を再生することで映像表示を行う表示部２５ａと、デコーダ２４で得られた音声信号を再生することで音声出力を行うスピーカ２５ｂと、ユーザにより入力操作が行われる操作部２６と、メモリ２３のプログラムによって装置全体の動作を行うＣＰＵ２７と、各ブロック間の信号を伝達を行うバス２８と、装置内の各ブロックに電力を供給する二次電池２９と、記録装置１の電力供給部２０と接続されて二次電池２９への電力を供給する電力供給用接続部３０と、を備える。
【００１７】
このようにして映像記録再生装置が構成されるとき、記録装置１は、チューナ１２で選局された放送信号をアンテナ１１を介して受信する。このとき、アナログ放送を受信する場合、チューナ１２は、ＣＰＵ１６によって指示されたチャンネル周波数で選局動作を行った後、この放送信号を復調するとともに復号化し、得られた映像信号及び音声信号による放送信号をエンコーダ１３に送出する。又、デジタル放送を受信する場合、チューナ１２は、ＣＰＵ１６によって指示されたチャンネル周波数で選局動作を行った後に復調して得られた放送信号をエンコーダ１３に送出する。
【００１８】
そして、チューナ１２で得られた放送信号がエンコーダ１３に与えられると、圧縮符号化されたコンテンツデータに変換するとともに、バス１８を介して記録媒体１４に記録する。このとき、チューナ１２でアナログ放送が受信されたときは、チューナ１２から与えられたアナログ信号である映像信号及び音声信号をデジタル符号化した後圧縮符号化することによって、コンテンツデータを生成する。又、チューナ１２でデジタル放送が受信されたときは、チューナ１２から与えられた放送信号をデジタル信号に変換することで、圧縮符号化されたコンテンツデータが得られる。尚、デジタル放送で使用される圧縮符号化方式と記録媒体１４に格納する際の圧縮符号化方式とが異なるときは、エンコーダ１３において記録媒体１４に格納する際の圧縮符号化方式のコンテンツデータに変換する。
【００１９】
又、メモリ１５に備えられるコンテンツ参照用テーブルは、図４に示すように、各コンテンツデータに対して、記録媒体１４におけるアドレス位置（開始アドレス位置）、放送チャンネル、録画開始時刻、録画終了時刻、録画時間、メモリ使用量それぞれが、録画情報として格納される。そして、このコンテンツ参照用テーブルにおいて格納されている記録媒体１４に記録された開始アドレス位置に基づいて、記録媒体１４に記録されたコンテンツデータが特定される。
【００２０】
そして、このコンテンツ参照用テーブルを管理することにより、記録媒体１４のメモリ容量に応じたコンテンツが記録されるように、記録するコンテンツの管理動作が行われる。即ち、新たにコンテンツが格納されるとき、このコンテンツを格納するのに、記録媒体１４におけるメモリ容量が十分でない場合は、録画開始時刻の最も早いコンテンツから順番に記録媒体１４より削除され、新しいコンテンツが記録媒体１４に格納される。このとき、記録媒体１４から削除されたコンテンツに関する情報がコンテンツ参照用テーブルから削除されるとともに、記録媒体１４に新たに格納されたコンテンツに関する情報がコンテンツ参照用テーブルに追加される。
【００２１】
尚、このとき、コンテンツ参照用テーブルにおいて、ユーザが再生装置２によって再生が成されたか否かを示す再生履歴が格納されるようにして、この再生履歴と録画開始時刻に基づいて、記録媒体１４より自動的にコンテンツが削除されるものとしても構わない。又、ユーザによって優先度を指定することができるとともに、この優先度がコンテンツ参照用テーブルに記録されるものとすることによって、優先度の低いものから順番にコンテンツが記録媒体１４より自動的に削除されるものとしても構わない。
【００２２】
又、再生装置２は、メモリ２３内に備えられるコンテンツ参照用テーブルは、記録装置１のメモリ１５に備えられるコンテンツ参照用テーブルと同様、図５に示すように、各コンテンツデータに対して、記録媒体２２における開始アドレス位置、放送チャンネル、録画開始時刻、録画終了時刻、録画時間、メモリ使用量それぞれが、録画情報として格納される。そして、操作部２６が操作されてコンテンツの再生が指示されると、ＣＰＵ２７でその指示内容が確認され、メモリ２３に格納されたコンテンツ参照用テーブルが確認される。
【００２３】
このコンテンツ参照用テーブルで確認された各コンテンツデータの放送チャンネル及び録画開始時刻及び録画終了時刻及び録画時間が読み出されると、デコーダ２４に与えられて映像信号に変換されて表示部２５ａに与えられる。そして、表示部２５ａにおいて、メモリ２３に格納された各コンテンツの放送チャンネル及び録画開始時刻及び録画終了時刻及び録画時間を表示する。
【００２４】
この表示部２５ａに表示された再生可能なコンテンツに対して、指示された位置の色を反転するなどして選択されているコンテンツを示すポインタが表示される。このポインタをユーザが操作部２６を操作することで移動させることで、再生を所望するコンテンツにポインタを移動させる。そして、再生を所望するコンテンツがポインタによって選択されているときに、操作部２６が操作されてその選択を決定することが指示されると、ＣＰＵ２７によって選択されたコンテンツに対するコンテンツデータの記録媒体２２における開始アドレス位置が確認される。
【００２５】
このようにして選択されたコンテンツに対するコンテンツデータの開始アドレス位置が確認されると、この開始アドレス位置から順に記録媒体２２に格納されたコンテンツデータを読み出す。この記録媒体２２から読み出されたコンテンツデータは、デコーダ２４において伸長されて映像信号及び音声信号が生成され、映像信号が表示装置２５ａに与えられるとともに、音声信号がスピーカ２５ｂに与えられる。そして、ユーザが所望するコンテンツの映像及び音声が再生出力される。その後、このコンテンツに関するコンテンツデータが全て記録媒体２２から読み出されて再生出力されると、再生動作を終了する。
【００２６】
更に、この再生装置２では、操作部２６を操作して、記録媒体２２に格納しているコンテンツデータを削除することができる。このとき、操作部２６によってコンテンツの削除が指示されると、まず、メモリ２３内に格納されているコンテンツ参照用テーブルが読み出されて、このコンテンツ参照用テーブルを参照して、現在記録媒体２２に格納されているコンテンツのリストが、図６のように、表示部２５ａに表示される。即ち、表示部２５ａに表示されるコンテンツのリストには、コンテンツ名と、放送チャンネルと、録画開始時刻とが表示されるとともに、削除するコンテンツを指定するためのポインタが表示される。そして、このリスト上のポインタが操作部２６を操作することで移動するとともに、削除するコンテンツを指定すると、指定されたコンテンツのコンテンツデータが記録媒体２２より削除される。このとき、同時に、このコンテンツデータに関する情報がメモリ２３内のコンテンツ参照用テーブルより削除される。
【００２７】
又、この再生装置２を記録装置１に設置した状態で、記録装置１で受信したコンテンツを、再生装置２で再生することができる。このとき、再生装置２の操作部２６をユーザが操作することによって、記録装置１における選局される放送チャンネルを変えて、所望の放送チャンネルのコンテンツを表示部２５ａ及びスピーカ２５ｂで再生出力することができる。即ち、操作部２６によって受信する放送チャンネルが選択されると、Ｉ／Ｆ２１及びＩ／Ｆ１７を通じて、記録装置１に与えられる。そして、記録装置１では、選択された放送チャンネルがＣＰＵ１６で確認され、チューナ１２におけるチャンネル周波数が切り換えられる。
【００２８】
このようにすることで、記録装置１において、所望の放送チャンネルの放送信号がチューナ１２で受信される。そして、この受信された放送信号がエンコーダ１３でコンテンツデータに変換されると、Ｉ／Ｆ１７及びＩ／Ｆ２１を通じて、再生装置２に与えられる。よって、再生装置２では、このコンテンツデータをデコーダ２４で復号化することで、所望の放送チャンネルのコンテンツを表示部２５ａ及びスピーカ２５ｂで再生出力する。尚、このように記録装置１及び再生装置２が動作するとき、記録装置１の電力供給部２０と再生装置２の充電接続部３０とが接続される。そのため、電力供給部２０及び充電接続部３０を介して、記録装置１の電源回路１９からの電力が再生装置２に供給されて、再生装置２の二次電池２９が充電されるとともに、再生装置２の各ブロックにも電力供給される。
【００２９】
更に、この記録装置１に再生装置２が設置されたとき、記録装置１の記録媒体１４に格納された最新のコンテンツが再生装置２に転送されるととともに、再生装置２に格納されているコンテンツが記録装置１に転送されて、記録装置１及び再生装置２の間においてコンテンツの入替を行う。このときの記録装置１及び再生装置２の動作について、図面を参照して以下に説明する。尚、図７は、データ転送時における記録装置１の動作を示すフローチャートである。又、図８は、データ転送時における再生装置２の動作を示すフローチャートである。
【００３０】
まず、記録装置１における動作について説明する。記録装置１では、再生装置２が載置されてＩ／Ｆ１７に再生装置２のＩ／Ｆ２１が接続されたか否かが確認される（ＳＴＥＰ１）。そして、再生装置２が記録装置１に載置されて、Ｉ／Ｆ１７にＩ／Ｆ２１が接続されたことが確認されると（Ｙｅｓ）、電力供給部２０に電力供給用接続部３０も接続されるため、電力供給部２０による再生装置２への電力供給動作が開始される（ＳＴＥＰ２）。その後、再生装置２に対して、再生装置２のメモリ２３内に備えるコンテンツ参照用テーブル（以下、再生側のコンテンツ参照用テーブルとする）を要求するためのテーブル要求信号を送信する（ＳＴＥＰ３）。
【００３１】
その後、Ｉ／Ｆ１７を介して再生側のコンテンツ参照用テーブルを受信する（ＳＴＥＰ４）。この受信した再生側のコンテンツ参照用テーブルを、メモリ１５に一時的に格納すると（ＳＴＥＰ５）、再生側のコンテンツ参照用テーブルによって管理されているコンテンツの情報より録画開始時刻が最も遅いコンテンツを確認し、その録画終了時刻を比較基準時刻としてメモリ１５内に格納する（ＳＴＥＰ６）。
【００３２】
そして、メモリ１５内のコンテンツ参照用テーブル（以下、記録側のコンテンツ参照用テーブルとする）を読み出して、ＳＴＥＰ６で確認した比較基準時刻よりも遅い録画開始時刻となるコンテンツのコンテンツデータが記録媒体１４に格納されているか否かが確認される（ＳＴＥＰ７）。このとき、比較基準時刻よりも遅い録画開始時刻となるコンテンツがない場合（Ｎｏ）、再生装置２に対して未だ転送していないコンテンツがないものと判断して、コンテンツの転送動作を終了することを再生装置２に報知するための完了通知信号をＩ／Ｆ１７より送信する（ＳＴＥＰ３４）。又、ＳＴＥＰ６で確認した比較基準時刻よりも遅い録画開始時刻となるコンテンツのコンテンツデータが記録媒体１４に格納されている場合（Ｙｅｓ）、再生装置２に対して未だ転送していないコンテンツがあるものと判断して、ＳＴＥＰ８以降の転送動作を行う。
【００３３】
このコンテンツの転送動作が行われる際、まず、ＳＴＥＰ５においてメモリ１５に一時的に格納した再生側のコンテンツ参照用テーブルを参照することによって、再生装置２に格納されているコンテンツのメモリ使用量より、再生装置２の記録媒体２２における空きメモリ容量を確認する（ＳＴＥＰ８）。又、記録側のコンテンツ参照用テーブルより、ＳＴＥＰ７で設定された比較基準時刻に直近で且つ比較基準時刻よりも遅い録画開始時刻となるコンテンツを確認する（ＳＴＥＰ９）。
【００３４】
このようにして、再生装置２の記録媒体２２における空きメモリ容量と、ＳＴＥＰ９で確認したコンテンツのメモリ使用量とを確認すると、この空きメモリ容量とメモリ使用量とを比較する（ＳＴＥＰ１０）。このとき、ＳＴＥＰ９で確認されたコンテンツのメモリ使用量が記録媒体２２の空きメモリ容量より小さくなることが確認されると（Ｙｅｓ）、ＳＴＥＰ９で確認したコンテンツの転送動作を行うため、このコンテンツのコンテンツデータを記録媒体１４から読み出して、Ｉ／Ｆ１７より再生装置２に送信する（ＳＴＥＰ１１）。尚、このようにコンテンツデータを送信する際、記録装置１と再生装置２との接続を切断しないように、記録装置１又は再生装置２において警告表示などを行うものとしても構わない。
【００３５】
そして、再生装置２に格納されていないコンテンツのコンテンツデータの送信が終了したか否かが確認される（ＳＴＥＰ１２）。このとき、再生装置２に格納されていないコンテンツのコンテンツデータの送信が終了すると（Ｙｅｓ）、次に、このコンテンツの記録側のコンテンツ参照用テーブルにおける各情報をメモリ１５内の記録側のコンテンツ参照用テーブルより読み出して、Ｉ／Ｆ１７より再生装置２に送信する（ＳＴＥＰ１３）。又、この再生装置２に格納されていないコンテンツのコンテンツデータの送信が終了していないとき（Ｎｏ）、再生装置２において受信が正常に行われているか否かが確認される（ＳＴＥＰ１４）。そして、正常に受信されているときは（Ｙｅｓ）、ＳＴＥＰ１１に移行して、コンテンツデータの送信を続ける。
【００３６】
更に、ＳＴＥＰ１３において、記録側のコンテンツ参照用テーブルにおける各情報を再生装置２に送信すると、再生装置２で更新された再生側のコンテンツ参照用テーブルを受信したか否かが確認される（ＳＴＥＰ１５）。このとき、再生装置２より送信される再生側のコンテンツ参照用テーブルをＩ／Ｆ１７で受信して、再生装置２において正常に受信されたことを確認すると（Ｙｅｓ）、転送を終了したコンテンツのコンテンツデータを記録媒体１４より削除した後（ＳＴＥＰ１６）、このコンテンツに関する情報をメモリ１５内の記録側のコンテンツ参照用テーブルより削除する（ＳＴＥＰ１７）。その後、ＳＴＥＰ５に移行して、メモリ１５に格納されている再生側のコンテンツ参照用テーブルを、受信した再生側のコンテンツ参照用テーブルに更新し、ＳＴＥＰ６以降の動作を行う。
【００３７】
このようにして、ＳＴＥＰ６〜ＳＴＥＰ１７の動作が繰り返し行われることで、記録媒体１４に格納されているコンテンツのうち、再生装置２に未だ転送されていないコンテンツを確認すると、そのコンテンツのコンテンツデータを再生装置２の記録媒体２２に格納するだけの空き容量があるとき、再生装置２に未だ転送されていないコンテンツのコンテンツデータを記録媒体１４より読み出すとともに、再生装置２に転送する。その後、再生装置２に転送したコンテンツのコンテンツ及びこのコンテンツに関する情報を、記録媒体１４及びメモリ１５内の記録側のコンテンツ参照用テーブルそれぞれから削除する。
【００３８】
又、ＳＴＥＰ１０において、ＳＴＥＰ９で確認したコンテンツのメモリ使用量が記録媒体２２の空きメモリ容量より大きい場合（Ｎｏ）、ＳＴＥＰ９で確認した再生装置２に転送するコンテンツを記録するのに十分な空きメモリ容量が記録媒体２２に存在しないものと判断され、再生側のコンテンツ参照用テーブルを確認することによって、再生装置２で格納されている録画開始時刻が最も早い時刻のコンテンツを確認する（ＳＴＥＰ１８）。そして、このコンテンツのメモリ使用量と現在の記録媒体１４の空きメモリ容量と比較する（ＳＴＥＰ１９）。
【００３９】
このとき、ＳＴＥＰ１８で確認されたコンテンツのメモリ使用量が記録媒体１４の空きメモリ容量より大きい場合（Ｎｏ）、メモリ１５内の記録側のコンテンツ参照用テーブルを参照して、最も早い録画開始時刻となるコンテンツを確認して（ＳＴＥＰ２０）、このコンテンツのコンテンツデータを記録媒体１４より削除した後（ＳＴＥＰ２１）、このコンテンツに関する情報をメモリ１５内の記録側のコンテンツ参照用テーブルより削除する（ＳＴＥＰ２２）。その後、ＳＴＥＰ１９に移行する。
【００４０】
このＳＴＥＰ１９〜ＳＴＥＰ２２の動作を繰り返すことによって、ＳＴＥＰ１８で確認されたコンテンツのメモリ使用量より大きくなる空きメモリ容量が記録媒体１４に形成されるまで、記録媒体１４に格納されたコンテンツデータを、その録画開始時刻が早いものから順に削除する。そして、ＳＴＥＰ１９において、ＳＴＥＰ１８で確認されたコンテンツのメモリ使用量が記録媒体１４の空きメモリ容量より小さくなると（Ｎｏ）、ＳＴＥＰ１８で確認されたコンテンツのコンテンツデータが記録媒体１４に格納可能であると判断されるため、ＳＴＥＰ１８で確認されたコンテンツのコンテンツデータを要求するコンテンツ要求信号を送信する（ＳＴＥＰ２３）。
【００４１】
その後、ＳＴＥＰ１８で確認されたコンテンツのコンテンツデータを受信したか否かが確認される（ＳＴＥＰ２４）。このとき、ＳＴＥＰ１８で確認されたコンテンツのコンテンツデータがＩ／Ｆ１７で受信されたことを確認されると（Ｙｅｓ）、正常に受信動作を行っているか否かが確認される（ＳＴＥＰ２５）。尚、この正常に受信動作を行っているか否かは、同一データの受信が正常に行われず、再生装置２に対して再送要求した回数が予め設定した所定回数を超えたとき、正常に受信動作を行っていないものと判断する。このとき、正常に受信動作を行っていると（Ｙｅｓ）、受信したコンテンツデータを記録媒体１４に格納した後（ＳＴＥＰ２６）、ＳＴＥＰ２４に移行する。
【００４２】
又、ＳＴＥＰ２４において、転送されるコンテンツに関する情報がＩ／Ｆ１７によって受信され、再生装置２より転送されるコンテンツのコンテンツデータが全て送信されたことが確認されると（Ｎｏ）、この転送されるコンテンツに関する情報を正常に受信したか否かが確認される（ＳＴＥＰ２７）。そして、正常に受信が行われているとき（Ｙｅｓ）、記録媒体１４に格納したコンテンツデータの開始アドレスを確認するとともに（ＳＴＥＰ２８）、Ｉ／Ｆ１７で受信した転送されたコンテンツに関する情報とともに、この確認した開始アドレスをメモリ１５内の記録側のコンテンツ参照用テーブルに記録する（ＳＴＥＰ２９）。
【００４３】
その後、ＳＴＥＰ１８で確認されたコンテンツが正常に転送されたことを示す転送完了信号が送信されるとともに（ＳＴＥＰ３０）、Ｉ／Ｆ１７で受信した転送されたコンテンツに関する情報をメモリ１５に一時的に格納している再生側のコンテンツ参照用テーブルより削除する（ＳＴＥＰ３１）。このように、ＳＴＥＰ２４〜ＳＴＥＰ３１の動作を繰り返すことによって、再生装置２に格納された録画開始時刻の最も早いコンテンツが転送される。そして、ＳＴＥＰ３１で転送されたコンテンツに関する情報を再生側のコンテンツ参照用テーブルより削除すると、ＳＴＥＰ７に移行し、再び、ＳＴＥＰ７以降の動作を行う。
【００４４】
又、ＳＴＥＰ２５及びＳＴＥＰ２７において、再生装置２との接続が切断されたときや再生装置２から送信されるデータを正常に受信できなかったとき（Ｎｏ）、正常に受信できなかったことを示す異常信号をＩ／Ｆ１７より再生装置２に対して送信する（ＳＴＥＰ３２）。このように、ＳＴＥＰ３２において異常信号を再生装置２に送信したとき、又は、ＳＴＥＰ１４において、再生装置２との接続が切断されたときや再生装置２から受信異常を示す異常信号をＩ／Ｆ１７で受信したときは（Ｎｏ）、エラー表示などを行い（ＳＴＥＰ３３）、完了通知信号をＩ／Ｆ１７より送信する（ＳＴＥＰ３４）。
【００４５】
このように、ＳＴＥＰ３４において、完了通知信号を送信すると一連の動作を終了する。又、ＳＴＥＰ２において開始された電力供給部２０による再生装置２への電力供給動作は、再生装置２の二次電池２９の充電が完了するとともに、その電源がＯＦＦとされたことを確認したとき、又は、再生装置２が記録装置１より外されて、電力供給部用接続部３０が電力供給部２０と切断されたことを確認したとき、停止される。
【００４６】
次に、記録装置１が上述のように動作することによって、前回の接続時よりも後に新たに記録装置１内に格納したコンテンツを再生装置２に転送するときにおける、再生装置２の動作について説明する。まず、再生装置２が記録装置１に載置されて、Ｉ／Ｆ２１が記録装置１のＩ／Ｆ１７に接続されたか否かが確認される（ＳＴＥＰ１０１）。そして、再生装置２が記録装置１に載置されて、Ｉ／Ｆ１７にＩ／Ｆ２１が接続されたことが確認されると（Ｙｅｓ）、電力供給部２０に電力供給用接続部３０も接続されるため、電力供給用接続部３０を介して記録装置１からの電力供給が開始される（ＳＴＥＰ１０２）。
【００４７】
その後、記録装置１より送信されるテーブル要求信号をＩ／Ｆ２１で受信すると（ＳＴＥＰ１０３）、メモリ２３内に備える再生側のコンテンツ参照用テーブルを読み出して、Ｉ／Ｆ２１より記録装置１に送信する（ＳＴＥＰ１０４）。そして、記録装置１よりコンテンツの転送動作の完了を示す完了通知信号を、Ｉ／Ｆ２１で受信したか否かが確認される（ＳＴＥＰ１０５）。このとき、完了通知信号の受信が確認されなかったとき（Ｎｏ）、記録装置１から送信されるコンテンツ要求信号を、Ｉ／Ｆ２１で受信したか否かが確認される（ＳＴＥＰ１０６）。
【００４８】
そして、コンテンツ要求信号を受信したとき（Ｙｅｓ）、コンテンツ要求信号により要求されるコンテンツの記録媒体２２における開始アドレス位置が、メモリ２３内の再生側のコンテンツ参照用テーブルより確認されて、このコンテンツのコンテンツデータを記録媒体２２から読み出して、Ｉ／Ｆ２１より記録装置１に送信する（ＳＴＥＰ１０７）。尚、記録装置１から再生装置２にコンテンツデータを送信するときと同様に、このようにコンテンツデータを送信する際、記録装置１と再生装置２との接続を切断しないように、記録装置１又は再生装置２において警告表示などを行うものとしても構わない。
【００４９】
そして、記録装置１より要求されたコンテンツのコンテンツデータの送信が終了したか否かが確認される（ＳＴＥＰ１０８）。このとき、記録装置１より要求されたコンテンツのコンテンツデータの送信が終了すると（Ｙｅｓ）、次に、このコンテンツの再生側のコンテンツ参照用テーブルにおける各情報をメモリ２３内の再生側のコンテンツ参照用テーブルより読み出して、Ｉ／Ｆ２１より記録装置１に送信する（ＳＴＥＰ１０９）。又、この記録装置１より要求されたコンテンツのコンテンツデータの送信が終了していないとき（Ｎｏ）、記録装置１において受信が正常に行われているか否かが確認される（ＳＴＥＰ１１０）。そして、正常に受信されているときは（Ｙｅｓ）、ＳＴＥＰ１０７に移行して、コンテンツデータの送信を続ける。
【００５０】
更に、ＳＴＥＰ１０９において、再生側のコンテンツ参照用テーブルにおける各情報を記録装置１に送信すると、記録装置１がコンテンツを記録したことを示す転送完了信号をＩ／Ｆ２１を受信したか否かが確認される（ＳＴＥＰ１１１）。このとき、記録装置１より送信される転送完了信号をＩ／Ｆ２１で受信して、記録装置１に正常に転送されたことを確認すると（Ｙｅｓ）、転送を終了したコンテンツのコンテンツデータを記録媒体２２より削除した後（ＳＴＥＰ１１２）、このコンテンツに関する情報をメモリ２３内の再生側のコンテンツ参照用テーブルより削除する（ＳＴＥＰ１１３）。その後、ＳＴＥＰ１０６に移行して、コンテンツ要求信号が受信されたか否かが確認される。
【００５１】
このＳＴＥＰ１０６〜ＳＴＥＰ１１３の動作を繰り返すことによって、記録装置１より要求されたコンテンツを録画開始時刻が早いものから順に、Ｉ／Ｆ２１より記録装置１に送信する。このとき、ＳＴＥＰ１０６において、コンテンツ要求信号以外の信号が確認されたとき（Ｎｏ）、記録装置１で新たに記録されたコンテンツのコンテンツデータをＩ／Ｆ２１で受信したか否かが確認される（ＳＴＥＰ１１４）。そして、記録装置１より転送されるコンテンツのコンテンツデータの受信を確認すると（Ｙｅｓ）、正常に受信動作を行っているか否かが確認される（ＳＴＥＰ１１５）。このとき、正常に受信動作を行っていると（Ｙｅｓ）、受信したコンテンツデータを記録媒体２２に格納した後（ＳＴＥＰ１１６）、ＳＴＥＰ１１４に移行する。
【００５２】
又、ＳＴＥＰ１１４において、転送されるコンテンツに関する情報がＩ／Ｆ２１によって受信され、記録装置１より転送されるコンテンツのコンテンツデータが全て送信されたことが確認されると（Ｎｏ）、この転送されるコンテンツに関する情報を正常に受信したか否かが確認される（ＳＴＥＰ１１７）。そして、正常に受信が行われているとき（Ｙｅｓ）、記録媒体２２に格納したコンテンツデータの開始アドレスを確認するとともに（ＳＴＥＰ１１８）、受信した転送されるコンテンツに関する情報とともに、この確認した開始アドレスをメモリ２３内の再生側のコンテンツ参照用テーブルに記録する（ＳＴＥＰ１１９）。
【００５３】
このようにして、記録装置１より転送されたコンテンツの情報を再生側のコンテンツ参照用テーブルに追加して、メモリ２３内の再生側のコンテンツ参照用テーブルを更新すると、ＳＴＥＰ１０４に移行して、更新したコンテンツ参照用テーブルをＩ／Ｆ２１より記録装置１に送信する。よって、ＳＴＥＰ１０４〜ＳＴＥＰ１１９の動作を繰り返すことによって、再生装置２の記録媒体２２に格納されているコンテンツのコンテンツデータを記録装置１に転送して、記録媒体２２に新たなコンテンツのコンテンツデータが記録可能となるように空きメモリ容量を設け、そして、記録装置１で新たに記録媒体１４に格納されたコンテンツが転送され、そのコンテンツのコンテンツデータが記録媒体２２に格納される。このとき、メモリ２３内の再生側のコンテンツ参照用テーブルにおいて、記録装置１に転送されるコンテンツに関する情報が削除されるとともに、記録装置１から転送されるコンテンツに関する情報が追加される。
【００５４】
又、ＳＴＥＰ１１５又はＳＴＥＰ１１７において、記録装置１より送信されるデータが正常に受信されなかったとき（Ｎｏ）、正常に受信されなかったことを示す異常信号をＩ／Ｆ２１より送信する（ＳＥＴＰ１２０）。このように、ＳＴＥＰ１２０において異常信号を記録装置１に送信したとき、又は、ＳＴＥＰ１１０において、記録装置１との接続が切断されたときや記録装置１から受信異常を示す異常信号をＩ／Ｆ２１で受信したときは（Ｎｏ）、エラー表示などを行う（ＳＴＥＰ１２１）。このＳＴＥＰ１２１においてエラー表示を行ったとき、又は、ＳＴＥＰ１０５において、完了通知信号の受信により記録装置１とのコンテンツの転送動作が完了したことを確認すると（Ｙｅｓ）、再生装置２が電源ＯＮとされた状態にあるか否かが確認される（ＳＴＥＰ１２２）。
【００５５】
このとき、電源ＯＮとされているときは（Ｙｅｓ）、そのまま、電源ＯＮとしたまま動作を終了し、又、電源ＯＦＦとされているときは（Ｎｏ）、電力供給接続部３０による二次電池２９への充電動作を行っているか否かを確認する（ＳＴＥＰ１２３）。そして、充電動作が行っているときは（Ｙｅｓ）、充電に使用する電力供給部３０やＣＰＵ２７やメモリ２３など必要最小限となる部分のみを駆動させた待機状態とした後（ＳＴＥＰ１２４）、ＳＴＥＰ１２３に移行する。その後、ＳＴＥＰ１２３において、二次電池２９の充電が十分となるか、又は、電力供給接続部３０の電力供給部２０への接続が切断されることによって、電力供給接続部３０による充電動作が行われていないことを確認すると（Ｎｏ）、完全に電源ＯＦＦの状態とし、全てのブロックに対する電源供給を終了して（ＳＴＥＰ１２５）、動作を終了する。
【００５６】
このようにして、記録装置１からのコンテンツが転送されるとき、再生装置２では、図９のフローチャートに従って、二次電池２９の充電動作が行われる。このとき、図８のフローチャートにおけるＳＴＥＰ１０２の動作により、電力供給用接続部３０を介した記録装置１からの電力供給が開始されたか否かが確認される（ＳＴＥＰ１５１）。そして、電力供給が開始されると（Ｙｅｓ）、次に、二次電池２９が十分に充電されているか否かが確認される（ＳＴＥＰ１５２）。このとき、二次電池２９の充電が十分でないとき（Ｎｏ）、電力供給用接続部３０を介して供給される電力のうち、現在の動作に必要な電力以外の電力を二次電池２９に供給して、二次電池の充電動作を行った後（ＳＴＥＰ１５３）、再び、ＳＴＥＰ１５２に移行する。
【００５７】
その後、ＳＴＥＰ１５２において、二次電池２９の充電が十分となったことが確認されると（Ｙｅｓ）、電力供給用接続部３０による二次電池２９への電力供給を停止して、充電動作を終了する（ＳＴＥＰ１５４）。そして、再生装置２が電源ＯＮとされた状態にあるか否かが確認される（ＳＴＥＰ１５５）。このとき、電源ＯＦＦとされたことが確認されると（Ｙｅｓ）、電力供給用接続部３０から各ブロックへの電力供給を停止して（ＳＴＥＰ１５６）、動作を終了する。又、電源ＯＦＦとされていない場合（Ｎｏ）、再度、ＳＴＥＰ１５５において、電源ＯＦＦとされたか否かが確認される。
【００５８】
この図７及び図８のフローチャートに従って動作するときの記録装置１及び再生装置２の動作例を、図面を参照して以下に説明する。このとき、例えば、説明を簡単にするために、図１０（ａ）のように、記録装置１の記録媒体１４のメモリ容量を１０２とし、この記録媒体１４にコンテンツＣａ〜Ｃｉのコンテンツデータを格納しているものとするとともに、記録装置２の記録媒体２２のメモリ容量を４２とし、この記録媒体２２にコンテンツＣｊ〜Ｃｌのコンテンツデータを格納しているものとする。又、このとき、コンテンツＣａ，Ｃｅ，Ｃｋ，Ｃｍのメモリ使用量が５であり、コンテンツＣｂ，Ｃｃ，Ｃｆ，Ｃｇ，Ｃｉ，Ｃｊのメモリ使用量が１０であり、コンテンツＣｄ，Ｃｈ，Ｃｌのメモリ使用量が２０であるものとする。又、コンテンツＣａ〜Ｃｍそれぞれの録画開始時刻が、コンテンツＣａ，Ｃｂ，Ｃｃ，…，Ｃｍの順であるものとする。
【００５９】
そして、メモリ使用量が１０となるコンテンツＣｎとメモリ使用量が２０となるコンテンツＣｏとメモリ使用量が５となるコンテンツＣｐとが、コンテンツＣｎ，Ｃｏ，Ｃｐの順番に、新たに記録装置１の記録媒体１４に格納されるものとする。まず、コンテンツＣｎが格納されるとき、コンテンツＣｎのメモリ使用量が１０であるため、コンテンツＣａ，Ｃｂのコンテンツデータが記録媒体１４より削除されて、空きメモリ容量が１７とされ、コンテンツＣｎのコンテンツデータが記録媒体１４に格納される。
【００６０】
その後、記録媒体１４の空きメモリ容量が７となるが、コンテンツＣｏのメモリ使用量が２０であるため、コンテンツＣｃ，Ｃｄのコンテンツデータが記録媒体１４より削除されて、空きメモリ容量が３７とされ、コンテンツＣｏのコンテンツデータが記録媒体１４に格納される。更に、記録媒体１４にコンテンツＣｏのコンテンツデータが格納された状態となって、その空きメモリ容量が１７となった後に、メモリ使用量５のコンテンツＣｐのコンテンツデータが記録媒体１４に格納される。よって、図１０（ｂ）のように、記録装置１の記録媒体１４には、コンテンツＣｅ〜Ｃｉ，Ｃｎ〜Ｃｐのコンテンツデータが格納されるとともに、その空きメモリ容量が１２となる。
【００６１】
又、再生装置２において、操作部２６が操作されて、コンテンツＣｋの削除が求められて、コンテンツＣｋのコンテンツデータが記録媒体２２より削除されたものとする。よって、このとき、図１０（ｃ）のように、再生装置２の記録媒体２２には、コンテンツＣｊ，Ｃｌ，Ｃｍのコンテンツデータが格納され、その空きメモリ容量が７となる。その後、再生装置２が記録装置１に載置されると、記録装置１から再生装置２に電力供給が行われるとともに、記録装置１において新たにコンテンツＣｎ〜Ｃｐが記録されているため、記録装置１と再生装置２との間でコンテンツの転送が行われる。
【００６２】
このとき、記録装置１において、再生装置２のメモリ２３に格納されている再生側のコンテンツ参照用テーブル受信することで、再生装置２にコンテンツＣｊ，Ｃｌ，Ｃｍが格納されていることが確認される。そして、この再生側のコンテンツ参照用テーブルより、コンテンツＣｍの録画開始時刻が比較基準時刻とされると、この比較基準時刻より録画開始時刻の遅いコンテンツＣｎが、メモリ１５内の記録側のコンテンツ参照用テーブルを参照することで確認される。このとき、再生装置２の記録媒体２２の空きメモリ容量が７であることが確認される。そして、コンテンツＣｎのメモリ使用量が１０であり、記録媒体２２の空きメモリ容量７よりも大きいことが確認される。
【００６３】
そのため、まず、再生装置２の記録媒体２２の空きメモリ容量を確保するために、再生装置２から記録装置１へのコンテンツの転送動作が行われようとする。このとき、再生側のコンテンツ参照用テーブルより、再生装置２に格納された録画開始時刻の最も早いコンテンツがコンテンツＣｊであり、そのメモリ使用量が１０であることが確認される。そして、記録装置１の記録媒体１４の空きメモリ容量が１２であり、コンテンツＣｊが記録可能であることを確認するため、コンテンツＣｊが再生装置２から記録装置１に転送されて、図１０（ｄ）のように、コンテンツＣｊのコンテンツデータが、記録装置１の記録媒体１４に格納されるとともに、再生装置２の記録媒体２２から削除される。
【００６４】
そして、再生装置２の記録媒体２２の空きメモリ容量が１７となり、コンテンツＣｎのメモリ使用量１０よりも大きくなると、このコンテンツＣｎが記録装置１から再生装置２に転送されて、図１０（ｅ）のように、コンテンツＣｎのコンテンツデータが、再生装置２の記録媒体２２に格納されるとともに、記録装置１の記録媒体１４から削除される。このようにして、コンテンツＣｎが再生装置２に転送されると、次に、記録装置１において、このコンテンツＣｎの録画開始時刻が比較基準時刻とされるとともに、この比較基準時刻より遅い録画開始時刻となるコンテンツＣｏが記録側のコンテンツ参照用テーブルより確認される。
【００６５】
このとき、記録装置１では、再生側及び記録側それぞれのコンテンツ参照用テーブルが確認されることで、コンテンツＣｏのメモリ使用量が２０であり、記録媒体２２の空きメモリ容量７よりも大きいことが確認される。よって、再生装置２から記録装置１へのコンテンツの転送動作が行われようとするが、転送されようとする再生装置２に格納された録画開始時刻の最も早いコンテンツＣｌのメモリ使用量が２０であり、記録媒体１４の空きメモリ容量１２よりも大きいことが確認される。そのため、まず、記録装置１において、コンテンツＣｅのコンテンツデータが、記録媒体１４より削除される。
【００６６】
このように、コンテンツＣｅを削除しても、記録媒体１４の空きメモリ容量が１７であり、コンテンツＣｌのメモリ使用量２０よりも小さいため、更に、コンテンツＣｆが削除される。よって、図１１（ａ）のように、記録媒体１４には、コンテンツＣｅ，Ｃｆのコンテンツデータが削除されて、コンテンツＧｇ〜Ｃｊ，Ｃｏ，Ｃｐのコンテンツデータが格納された状態となり、その空きメモリ容量も２７となる。そして、記録媒体１４の空きメモリ容量が２７となり、コンテンツＣｌのメモリ使用量２０よりも大きくなると、再生装置２から記録装置１にコンテンツＣｌが転送されるため、図１１（ｂ）のように、コンテンツＣｌのコンテンツデータが、記録装置１の記録媒体１４に格納されるとともに、再生装置２の記録媒体２２から削除される。
【００６７】
そして、再生装置２の記録媒体２２の空きメモリ容量が２７となり、コンテンツＣｏのメモリ使用量２０よりも大きくなると、このコンテンツＣｏが記録装置１から再生装置２に転送されて、図１１（ｃ）のように、コンテンツＣｏのコンテンツデータが、再生装置２の記録媒体２２に格納されるとともに、記録装置１の記録媒体１４から削除される。その後、記録装置１において、このコンテンツＣｏの録画開始時刻が比較基準時刻とされると、更に、この比較基準時刻より遅い録画開始時刻となるコンテンツＣｐが記録側のコンテンツ参照用テーブルより確認される。
【００６８】
このとき、記録装置１では、再生側及び記録側それぞれのコンテンツ参照用テーブルが確認されることで、コンテンツＣｐのメモリ使用量が５であり、記録媒体２２の空きメモリ容量７よりも小さいことが確認される。よって、コンテンツＣｐが記録装置１から再生装置２に転送されて、図１１（ｄ）のように、コンテンツＣｐのコンテンツデータが、再生装置２の記録媒体２２に格納されるとともに、記録装置１の記録媒体１４から削除される。即ち、記録装置１にコンテンツＧｇ〜Ｃｊ，Ｃｌが格納されるとともに、再生装置２にコンテンツＣｍ〜Ｃｐが格納される。そして、記録装置１の記録媒体１４の空きメモリ容量が３２となるとともに、再生装置２の記録媒体２２の空きメモリ容量が２となる。
【００６９】
このように、本実施形態によると、記録装置１に再生装置２が載置されて、記録装置１と再生装置２とが接続されたとき、記録装置１に新たに記録されたコンテンツがあると、まず、再生装置２の記録媒体２２にそのコンテンツのコンテンツデータが格納できるだけの空きメモリ容量を保持するように、再生装置２から記録装置１へのコンテンツの転送動作が行われる。このとき、記録装置１の記録媒体１４において、再生装置２から転送されるコンテンツのコンテンツデータが格納できるだけの空きメモリ容量を保持するように、記録媒体１４におけるコンテンツの削除を行う。この再生装置２から記録装置１への転送動作を行うなどして、再生装置２の記録媒体２２に格納できるだけの空きメモリ容量が構成されると、記録装置１から再生装置２に対して、新たに記録されたコンテンツが転送される。
【００７０】
このように、本実施形態によると、記録装置１に再生装置２が載置されて、記録装置１と再生装置２とが接続されたとき、記録装置１の記録媒体１４内に新たに記録されたコンテンツと再生装置２の記録媒体２２内のコンテンツとが入れ換えられるように、記録装置１及び再生装置２の間でのコンテンツの転送が自動的に行われる。又、記録装置１に再生装置２が載置されるとき、このコンテンツの転送を行うと同時に、記録装置１による再生装置２内の二次電池２９の充電動作が自動的に行われる。更に、記録装置１に再生装置２が載置されているとき、記録装置１において録画動作が開始されるとき、まず、記録装置１における録画動作が優先的に行われた後、記録装置１と再生装置２との間におけるコンテンツの転送動作が行われる。
【００７１】
尚、本実施形態において、記録装置１の記録媒体１４に新たにコンテンツが格納されるときに記録媒体１４の空きメモリ容量が小さい場合に、既に記録媒体１４に格納されたコンテンツが削除されるものとしたが、記録媒体１４の空きメモリ容量を定期的に確認し、その空きメモリ容量が所定量以下となったときに、既に記録媒体１４に格納されたコンテンツが削除されるものとしても構わない。又、記録装置１に再生装置２が載置されて接続されたときに、記録媒体１４の空きメモリ容量を確認し、その空きメモリ容量が所定量以下となったときに、記録装置１の記録媒体１４からコンテンツを削除するものとしても構わない。
【００７２】
＜第２の実施形態＞
本発明の第２の実施形態について、図面を参照して説明する。尚、本実施形態の映像記録再生装置は、第１の実施形態と同様、図１のように構成され、又、記録装置及び再生装置の内部構成についても、第１の実施形態と同様、図２及び図３のように構成される。
【００７３】
本実施形態における映像記録再生装置は、第１の実施形態の映像記録再生装置と、記録装置１で記録されるコンテンツ参照用データが異なるとともに、再生装置２の記録装置１への載置時におけるコンテンツの転送動作が異なる。その他の動作については、第１の実施形態と同様となるため、その詳細な説明については、第１の実施形態を参照するものとし、省略する。よって、以下では、記録装置１で記録されるコンテンツ参照用テーブルと、再生装置２の記録装置１への載置時におけるコンテンツの転送動作について説明する。
【００７４】
まず、記録装置１のメモリ１５に格納される記録側のコンテンツ参照用テーブルについて説明する。このコンテンツ参照用テーブルは、図１２に示すように、各コンテンツに対して、図４における項目に、更に、再生装置２に対して既に転送されたか否かを確認するための項目が追加されている。このとき、図１２のように、この記録側のコンテンツ参照用テーブルにおいて、転送状態が「転送中」、「転送済」、「未転送」によって表され、「転送中」とされるコンテンツが再生装置２に現在転送されていることを示し、又、「転送済」とされるコンテンツが再生装置２に既に転送されたことを示し、更に、「未転送」とされるコンテンツが再生装置２に転送されていないことを示す。
【００７５】
よって、記録装置１にコンテンツＣ１〜Ｃ７，Ｃ１１〜Ｃ１３が記録されているとともに、再生装置２にコンテンツＣ８〜Ｃ１０が記録されているとき、図１２において、既に転送済であるとともに記録装置１に格納されているコンテンツＣ１〜Ｃ７の転送状態が「転送済」とされ、現在、再生装置２に格納されているコンテンツＣ８〜Ｃ１０の転送状態が「転送中」とされ、記録装置１に格納されているとともに未だ転送されていないコンテンツＣ１１〜Ｃ１３の転送状態が「未転送」とされる。
【００７６】
次に、このような記録側のコンテンツ参照用テーブルがメモリ１５に記録される記録装置１と再生装置２における、再生装置２の記録装置１への載置時におけるコンテンツの転送動作について、図面を参照して以下に説明する。尚、図１３は、データ転送時における記録装置１の動作を示すフローチャートである。又、図１４は、データ転送時における再生装置２の動作を示すフローチャートである。この図１３及び図１４の動作において、図７及び図８の動作と同一の動作ステップについては、同一の符号を付すととともに、その詳細な説明は省略する。
【００７７】
まず、記録装置１における動作について説明する。本実施形態においても、記録装置１では、再生装置２が載置されてＩ／Ｆ１７に再生装置２のＩ／Ｆ２１が接続されたことを確認すると、電力供給部２０による再生装置２への電力供給動作が開始するとともに、テーブル要求信号を再生装置２に送信する（ＳＴＥＰ１〜ＳＴＥＰ３）。そして、再生側のコンテンツ参照用テーブルを再生装置２よりＩ／Ｆ２１で受信した後（ＳＴＥＰ４）、受信した再生側のコンテンツ参照用テーブルに基づいて、再生装置２で削除されたコンテンツを確認し、この再生装置２で削除されたコンテンツに関する情報をメモリ１５内の記録側のコンテンツ参照用テーブルより削除する（ＳＴＥＰ２０１）。
【００７８】
その後、記録側のコンテンツ参照用テーブルをメモリ１５より読み出して、転送状態が「未転送」となるコンテンツの有無を確認することで、未だ再生装置２に転送されていないコンテンツの有無を確認する（ＳＴＥＰ７）。このとき、転送状態が「未転送」となるコンテンツを確認すると（Ｙｅｓ）、記録側のコンテンツ参照用テーブルにおいて「転送中」とされるコンテンツのメモリ使用量が確認され、再生装置２の記録媒体２２における空きメモリ容量を確認する（ＳＴＥＰ８）。そして、記録側のコンテンツ参照用テーブルにおいて「未転送」となるコンテンツの中から、その録画開始時刻が最も早いコンテンツが確認される（ＳＴＥＰ９）。
【００７９】
その後、記録媒体２２の空きメモリ容量と「未転送」のコンテンツのメモリ使用量とを比較して再生装置２に転送可能か否かを確認し（ＳＴＥＰ１０）、転送可能である場合は（Ｙｅｓ）、ＳＴＥＰ１１に移行してコンテンツデータの送信を開始した後、ＳＴＥＰ９で確認した「未転送」のコンテンツの転送動作を行う（ＳＴＥＰ１１〜ＳＴＥＰ１７）。このＳＴＥＰ１１〜ＳＴＥＰ１７の動作を行うとき、ＳＴＥＰ１３においてコンテンツに関する情報を送信すると、図７のフローチャートにおけるＳＴＥＰ１５の代わりに、ＳＴＥＰ１４と同様、再生装置２で正常に受信されたか否かが確認される（ＳＴＥＰ２０２）。すなわち、ＳＴＥＰ２０２において、異常信号の受信又は再生装置２との接続の切断が確認されたとき、異常が発生したものと判断される。
【００８０】
そして、このとき、ＳＴＥＰ１７において記録側のコンテンツ参照用テーブルを更新すると、ＳＴＥＰ７に移行する。更に、ＳＴＥＰ１４及びＳＴＰＥ２０２において、再生装置２で正常に受信できていないことが確認されると（Ｎｏ）、ＳＴＥＰ３３に移行して、エラー表示などが行われる。又、ＳＴＥＰ１０において、転送不可能である場合は（Ｎｏ）、記録側のコンテンツ参照用テーブルにおいて「転送中」となるコンテンツの中から、その録画開始時刻が最も早いコンテンツが確認される（ＳＴＥＰ１８）。
【００８１】
そして、この「転送中」となるコンテンツのメモリ使用量と現在の記録媒体１４の空きメモリ容量と比較して記録媒体１４に記録可能か否かを確認し（ＳＴＥＰ１９）、記録不可能である場合は（Ｎｏ）、ＳＴＥＰ２０に移行して、「転送済」のコンテンツの中から、その録画開始時刻が最も早いコンテンツを削除対象コンテンツとし、「転送済」のコンテンツの削除動作を行う（ＳＴＥＰ２１，ＳＴＥＰ２２）。又、記録可能である場合は（Ｎｏ）、再生装置２にコンテンツ要求信号を送信した後（ＳＴＥＰ２３）、再生装置２からの信号をＩ／Ｆ１７において正常に受信したか否かを確認する（ＳＴＥＰ２０３）。
【００８２】
そして、正常に受信されているときは（Ｙｅｓ）、「転送中」のコンテンツのコンテンツデータを受信しているか、この「転送中」のコンテンツに関する情報を受信しているかを確認した後、コンテンツデータを受信したときは記録媒体１４に格納し、又、コンテンツに関する情報を受信したときは記録側のコンテンツ参照用テーブルを更新するとともに転送完了通知信号を送信する（ＳＴＥＰ２４，ＳＴＥＰ２６，ＳＴＥＰ２８〜ＳＴＥＰ３０）。又、ＳＴＥＰ２０３で正常に受信できなかったときは（Ｎｏ）、異常信号を送信すし（ＳＴＥＰ３２）、ＳＴＥＰ３３以降の動作を行う。
【００８３】
このように動作するとき、ＳＴＥＰ７において、記録側のコンテンツ参照用テーブルより、「未転送」のコンテンツが確認されなくなったとき（Ｎｏ）、ＳＴＥＰ３４に移行して、完了通知信号を送信し、又、ＳＴＥＰ３３において、エラー表示を行ったときにおいても、ＳＴＥＰ３４に移行して、完了通知信号を送信する。このように完了通知信号を送信すると、一連の動作を終了する。
【００８４】
次に、このときの再生装置２の動作について説明する。まず、Ｉ／Ｆ２１が記録装置１のＩ／Ｆ１７に接続されたか否かが確認されると、電力供給用接続部３０を介して記録装置１からの電力供給が開始される（ＳＴＥＰ１０１，ＳＴＥＰ１０２）。その後、テーブル要求信号をＩ／Ｆ２１で受信すると、メモリ２３内に備える再生側のコンテンツ参照用テーブルをＩ／Ｆ２１より記録装置１に送信した後、完了通知信号をＩ／Ｆ２１で受信したか否かを確認する（ＳＴＥＰ１０３〜ＳＴＥＰ１０５）。このとき、完了通知信号の受信が確認されなかったとき（Ｎｏ）、コンテンツ要求信号を受信したか否かが確認される（ＳＴＥＰ１０６）。
【００８５】
そして、ＳＴＥＰ１０６において、コンテンツ要求信号を受信したことを確認すると（Ｙｅｓ）、コンテンツ要求信号によって指定されるコンテンツを転送するとともに、転送完了が記録装置１から示されると、転送したコンテンツの削除を行う（ＳＴＥＰ１０７〜ＳＴＥＰ１１３）。又、ＳＴＥＰ１０６において、コンテンツ要求信号以外の信号を受信したことを確認すると（Ｎｏ）、Ｉ／Ｆ２１で正常に受信しているか否かを確認する（ＳＴＥＰ２５１）。このとき、Ｉ／Ｆ２１で正常に信号が受信されている場合は（Ｙｅｓ）、記録装置１で新たに記録されたコンテンツのコンテンツデータをＩ／Ｆ２１で受信したか否かが確認される（ＳＴＥＰ１１４）。
【００８６】
ＳＴＥＰ１１４において、Ｉ／Ｆ２１でコンテンツデータを受信したとき（Ｙｅｓ）、ＳＴＥＰ１１６以降の動作を繰り返してコンテンツデータの格納を行い、又、Ｉ／Ｆ２１でコンテンツに関するコンテンツ参照用テーブルにおける情報を受信したとき（Ｎｏ）、ＳＴＥＰ１１８以降の動作を行うことで、再生側のコンテンツ参照テーブルへの登録を行う。又、ＳＴＥＰ２５１において、Ｉ／Ｆ２１で正常に受信されなかったとき（Ｎｏ）、正常に受信されなかったことを示す異常信号をＩ／Ｆ２１より送信する（ＳＥＴＰ１２０）。
【００８７】
更に、ＳＴＥＰ１２０において異常信号を記録装置１に送信したとき、又は、ＳＴＥＰ１１０において、記録装置１との接続が切断されたときや記録装置１から受信異常を示す異常信号をＩ／Ｆ２１で受信したときは（Ｎｏ）、エラー表示などを行う（ＳＴＥＰ１２１）。そして、ＳＴＥＰ１０５において完了通知信号を受信したとき（Ｙｅｓ）、又は、ＳＴＥＰ１２１でエラー表示が行われたとき、ＳＴＥＰ１２２以降の動作が行われ、電源ＯＦＦとされるまで、記録装置１から電力供給される（ＳＴＥＰ１２２〜ＳＴＥＰ１２５）。又、このようにして、記録装置１からのコンテンツが転送されるとき、再生装置２では、二次電池２９の充電動作が、第１の実施形態と同様、図９のフローチャートに従って行われる。
【００８８】
このように、本実施形態においては、第１の実施形態と異なり、再生装置２へのコンテンツの転送状態を記録装置１において管理することができるため、記録装置１と再生装置２との間におけるコンテンツの転送動作を簡単化することができる。
【００８９】
＜第３の実施形態＞
本発明の第３の実施形態について、図面を参照して説明する。図１５及び図１６はそれぞれ、本実施形態の映像記録再生装置における記録装置及び再生装置それぞれの内部構成を示すブロック図である。尚、本実施形態の映像記録再生装置は、第１の実施形態と同様、図１のように構成される。又、図１５の記録装置及び図１６の再生装置において、図２の記録装置及び図３の再生装置と同一の目的で使用する部分については、同一の符号を付してその詳細な説明は省略する。
【００９０】
本実施形態の映像記録再生装置における記録装置１ａ（図１の記録装置１に相当する）は、図１５に示すように、図２の構成に、時間を計測するタイマ５０が付加された構成である。又、記録装置１ａは、メモリ１５において、図１２のようなコンテンツ参照用テーブル以外に、録画開始時刻及び録画終了時刻及び放送チャンネルが設定された録画予約情報を格納する図１７のような録画予約テーブルを格納している。図１７の録画予約テーブルは、録画予約されたコンテンツの放送チャンネル及び録画開始時刻及び録画終了時刻及び録画時間及びメモリ使用量が格納される。
【００９１】
このように記録再生装置１ａが構成されるとき、このメモリ１５に格納された録画予約テーブルをＣＰＵ１６が参照することで、録画予約されているコンテンツデータの録画開始時刻を確認する。そして、タイマ５０で計測される現在時刻と対比して、現在時刻と一致する録画開始時刻となるコンテンツデータの確認を行う。現在時刻と一致する録画開始時刻となるコンテンツデータが確認されると、コンテンツ参照用テーブルより放送チャンネルを確認し、チューナ１２がその放送チャンネルの放送信号を選局するように、チャンネル周波数が設定される。
【００９２】
そして、記録動作が開始すると、上述のように、チューナ１２、エンコーダ１３、及び記録媒体１４が動作することで、記録媒体１４にコンテンツデータが格納される。このとき、記録媒体１４に与えられるコンテンツデータの最初のデータが格納されるアドレスを開始アドレス位置として、メモリ１５内のコンテンツ参照用テーブルのアドレス位置欄に格納するとともに、放送チャンネル及び録画開始時刻をもコンテンツ参照用テーブルの各欄に格納する。その後、タイマ５０からの現在時刻が録画終了時刻に到達したことをＣＰＵ１６によって確認されると、記録媒体１４への記録動作を停止して録画を終了し、記録されたコンテンツデータに使用されたメモリ容量を確認する。この確認したメモリ容量を、メモリ１５内のコンテンツ参照用テーブルのメモリ使用量欄に格納するとともに、録画終了時刻及び録画時間をもコンテンツ参照用テーブルの各欄に格納する。
【００９３】
このようにして、録画動作が終了すると、記録装置１ａに再生装置２ａが載置されて、Ｉ／Ｆ１７に再生装置２ａのＩ／Ｆ２１が接続されているか否かが確認される。このとき、Ｉ／Ｆ１７に再生装置２ａのＩ／Ｆ２１が接続されていない場合、録画したコンテンツを再生装置２ａに転送不可能であるため、コンテンツ参照用テーブルにおける転送状態欄を「未転送」とし、未だ転送されていないことを示す。又、Ｉ／Ｆ１７に再生装置２ａのＩ／Ｆ２１が接続されている場合、録画したコンテンツを再生装置２ａに転送できるため、録画したコンテンツを再生装置２ａに転送して記録媒体２２にコンテンツデータを格納するとともに、記録媒体１４内のコンテンツデータを削除する。そして、コンテンツ参照用テーブルにおける転送状態欄を「転送中」とし、コンテンツを再生装置２ａに格納していることを示す。
【００９４】
即ち、タイマ５０により２００４年３月２６日の１０時００分００秒になったことを確認すると、メモリ１５内の図１７の録画予約テーブルより、コンテンツＣ１１の録画開始時刻であることを確認する。そして、チューナ１２におけるチャンネル周波数を放送チャンネルＣｈ１のチャンネル周波数に設定するとともに、エンコーダ１３で得られたコンテンツデータの記録媒体１４への記録動作を開始する。このとき、記録媒体１４のアドレス位置Ａｘから記録開始したことを確認すると、図１２のように、開始アドレス位置Ａｘ、放送チャンネルＣｈ１、及び録画開始時刻２００４年３月２６日  １０時００分００秒それぞれを、コンテンツ参照用テーブルのアドレス位置欄、放送チャンネル欄、及び録画開始時刻欄それぞれに格納する。
【００９５】
そして、タイマ５０により２００４年３月２６日の１１時２７分００秒になったことを確認すると、コンテンツＣ８の録画終了時刻であることが確認されるため、録画動作を終了する。このとき、録画時間及びメモリ容量がそれぞれ、１時間２７分及び２８７Ｍｂｙｔｅであることを確認すると、図１２のように、録画終了時刻２００４年３月２６日  １１時２７分００秒、録画時間０１時間２７分００秒、及びメモリ容量２８７Ｍｂｙｔｅそれぞれを、コンテンツ参照用テーブルの録画終了時刻欄、録画時間欄、及びメモリ使用量欄それぞれに格納する。このとき、再生装置２ａが載置されていない状態でコンテンツの送信が不可能であるものとすると、図１２のように、コンテンツ参照用テーブルにおける転送状態欄が「未転送」とされる。
【００９６】
又、再生装置２ａ（図１の再生装置１に相当する）は、図１６に示すように、図３の構成に、アラーム表示を行う警告表示部５１が付加された構成である。尚、本実施形態では、この警告表示部５１として、ＬＥＤ（Light Emitting Diode）が用いられるものとし、録画予約情報を備えていることを示すための警告として、点滅表示されるものとする。そして、この再生装置２ａは、メモリ２３において、図５のようなコンテンツ参照用テーブル以外に、図１８のような録画予約テーブルを格納している。この図１８の録画予約テーブルにおいても、図１７の録画予約テーブルと同様、録画予約されたコンテンツの放送チャンネル及び録画開始時刻及び録画終了時刻及び録画時間及びメモリ使用量が格納される。
【００９７】
このように再生装置２ａが構成されるとき、この再生装置２ａの操作部２６が操作されることによって、録画予約を行うことができる。この再生装置２ａによる録画予約動作について、図１９のフローチャートを参照して以下に説明する。
【００９８】
まず、ユーザによって操作部２６が操作されて、録画予約するコンテンツに対する録画開始時刻及び録画終了時刻及び放送チャンネルが入力されると（ＳＴＥＰ３０１）、Ｉ／Ｆ２１によって記録装置１のＩ／Ｆ１７が接続されているか否かが確認される（ＳＴＥＰ３０２）。尚、ＳＴＥＰ３０１では、操作部２６によって録画予約が指示されると、録画予約用の設定画面が表示部２５ａに表示される。そして、操作部２６が操作されることで、録画開始時刻及び録画終了時刻及び放送チャンネルそれぞれが表示部２５ａに表示される。この録画開始時刻及び録画終了時刻及び放送チャンネルの表示後、ユーザが操作部２６を操作して決定することで、入力が完了する。
【００９９】
ＳＴＥＰ３０２において、記録装置１ａとの接続が確認されると（Ｙｅｓ）、入力された録画予約情報をバス２８を通じてＩ／Ｆ２１に与えられた後、記録装置１に録画予約情報が転送され（ＳＴＥＰ３０３）、予約動作を終了する。又、記録装置１と接続されていないことが確認されると（Ｎｏ）、入力された録画予約情報をバス２８を通じてメモリ２３内の録画予約テーブルに格納される（ＳＴＥＰ３０４）。そして、ＣＰＵ２７によって警告表示部５１が点滅しているか否かが確認される（ＳＴＥＰ３０５）。このとき、メモリ２３内の録画予約テーブルに別の録画予約情報が存在し、警告表示部５１が点滅している場合（Ｙｅｓ）、予約動作を終了する。又、警告表示部５１が点滅していない場合（Ｎｏ）、警告表示部５１の点滅を開始して（ＳＴＥＰ３０６）、予約動作を終了する。
【０１００】
このような記録装置１ａ及び再生装置２ａにおいて、再生装置２ａが記録装置１ａに載置されて接続されると、第２の実施形態と同様、記録装置１ａと再生装置２ａとの間におけるコンテンツの転送動作が行われるとともに、再生装置２ａから記録装置１ａへの録画予約情報の転送が行われる。この記録装置１ａに再生装置２ａが接続されたときの動作について、以下に図面を参照して説明する。尚、図２０は、データ転送時における再生装置２ａの動作の一部を示すフローチャートである。又、図２１は、データ転送時における記録装置１ａの動作の一部を示すフローチャートである。
【０１０１】
まず、再生装置２ａにおける動作について説明する。第２の実施形態と同様、まず、記録装置１ａに載置されることでＩ／Ｆ２１が記録装置１ａのＩ／Ｆ１７に接続されたか否かが確認される（ＳＴＥＰ１０１）。そして、再生装置２ａが記録装置１ａに載置されて、Ｉ／Ｆ２１がＩ／Ｆ１７に接続されたことが確認されると（Ｙｅｓ）、電力供給用接続部３０を介して記録装置１ａからの電力供給が開始される（ＳＴＥＰ１０２）。その後、メモリ２３内の録画予約テーブルに録画予約情報が格納されているか否かが確認される（ＳＴＥＰ３３１）。
【０１０２】
このとき、録画予約情報が格納されていることが確認されると（Ｙｅｓ）、メモリ２３内の録画予約テーブルに格納されている録画予約情報が読み出されて、バス２８を通じてＩ／Ｆ２１より記録装置１ａに送信される（ＳＴＥＰ３３２）。そして、警告表示部５１の点滅が消灯する（ＳＴＥＰ３３３）。更に、ＳＴＥＰ３３１において録画予約情報が確認されなかったとき（Ｎｏ）、又は、ＳＴＥＰ３３３において警告表示部５１の点滅が消灯されたとき、ＳＴＥＰ１０３に移行して、記録装置１ａからの記録側のコンテンツ参照用テーブルを受信する。
【０１０３】
このように、メモリ２３内の録画予約テーブルに格納されている録画予約情報を記録装置１ａに転送した後、ＳＴＥＰ１０３に移行すると、図１４のフローチャートにおけるＳＴＥＰ１０３以降の動作が行われることによって、再生装置２ａにおいて、記録装置１ａより要求されたコンテンツを転送した後に削除するとともに、記録装置１ａから転送されるコンテンツを格納する。このときの動作については、第２の実施形態における再生装置２と同様であるため、その説明を省略する。
【０１０４】
次に、記録装置１ａにおける動作について説明する。再生装置２ａが上述のように動作することによって録画予約情報が送信されるとき、記録装置１ａでは、まず、再生装置２ａが載置されてＩ／Ｆ１７に再生装置２ａのＩ／Ｆ２１が接続されたか否かが確認される（ＳＴＥＰ１）。そして、再生装置２ａが記録装置１ａに載置されて、Ｉ／Ｆ１７にＩ／Ｆ２１が接続されたことが確認されると（Ｙｅｓ）、電力供給部２０による再生装置２ａへの電力供給動作が開始される（ＳＴＥＰ２）。その後、再生装置２ａより録画予約情報が送信されたか否かが確認される（ＳＴＥＰ３５１）。
【０１０５】
このとき、再生装置２ａからの録画予約情報の送信を確認すると（Ｙｅｓ）、Ｉ／Ｆ１７において再生装置２ａからの録画予約情報を受信する（ＳＴＥＰ３５２）。そして、受信した録画予約情報をバス１８を介してメモリ１５に与えて、メモリ１５内の録画予約テーブルに格納する（ＳＴＥＰ３５３）。尚、このとき、受信した録画予約情報において、メモリ１５内の録画予約テーブルに格納されている録画予約情報が存在するか否かを確認するものとしても構わない。そして、録画予約テーブルに格納されていない録画予約情報を新たに録画予約テーブルに格納して、録画予約テーブルの内容を更新するものとしても構わない。更に、ＳＴＥＰ３５１において録画予約情報が受信されなかったとき（Ｎｏ）、又は、ＳＴＥＰ３５３において録画予約テーブルが更新されたとき、ＳＴＥＰ３に移行して、再生装置２ａに対してテーブル要求信号を送信する。
【０１０６】
このように、再生装置２ａより転送された録画予約情報をメモリ１５内の録画予約テーブルに格納した後、ＳＴＥＰ３に移行すると、図１３のフローチャートにおけるＳＴＥＰ３以降の動作が行われることによって、記録装置１ａにおいて、再生装置２ａで削除されたコンテンツが削除されるとともに、新たに格納されたコンテンツが再生装置２ａへ転送される。このときの動作については、第２の実施形態における記録装置１と同様であるため、その説明を省略する。
【０１０７】
＜第４の実施形態＞
本発明の第４の実施形態について、図面を参照して説明する。図２２は、本実施形態の映像記録再生装置における再生装置の内部構成を示すブロック図である。尚、本実施形態の映像記録再生装置は、第３の実施形態と同様、図１のように構成され、又、記録装置の内部構成についても、第３の実施形態と同様、図１５のように構成される。又、図２２の再生装置において、図１６の再生装置と同一の目的で使用する部分については、同一の符号を付してその詳細な説明は省略する。
【０１０８】
本実施形態の映像記録再生装置における再生装置２ｂ（図１の再生装置２に相当する）は、図２２に示すように、図１６の構成に、時間を計測するタイマ５２が付加された構成である。又、この再生装置２ｂは、メモリ２３において、録画予約テーブルに格納された各録画予約情報における最も早い時刻となる録画開始時刻を認識し、この最も早い時刻となる録画開始時刻を警告用時刻として格納する。この警告用時刻は、メモリ２３内の録画予約テーブルに録画予約情報がない場合、メモリ２３よりその内容が削除される（“ＮＵＬＬ”と記憶されるものでもよい）。
【０１０９】
このように構成される再生装置２ｂを備える映像記録再生装置は、再生装置２ｂが記録装置１ａに載置されて再生装置２ｂのＩ／Ｆ２１が記録装置１のＩ／Ｆ１７と接続されたとき、第３の実施形態と同様、図２０及び図２１のフローチャートに従った録画予約情報の転送動作を行うとともに、図１３及び図１４のコンテンツの転送動作を行う。この第３の実施形態と同一の動作を行う映像記録再生装置において、録画予約動作時における再生装置２ｂの動作と、警告表示部５１による警告動作とが、第３の実施形態と異なる。よって、以下では、録画予約動作時における再生装置２ｂの動作と録画開始時刻に応じて切り換える警告切換動作とについて説明する。
【０１１０】
まず、録画予約動作時の再生装置２ｂにおける動作について、図２３のフローチャートを参照して説明する。尚、図２３のフローチャートにおいて、図１９のフローチャートにおける動作と同一の動作は、同一の符号を付す。まず、第３の実施形態と同様、ユーザによって録画予約情報が入力されると、Ｉ／Ｆ２１が記録装置１ａのＩ／Ｆ１７に接続されているか否かが確認される（ＳＴＥＰ３０１、ＳＴＥＰ３０２）。そして、記録装置１ａと接続されている場合（Ｙｅｓ）、第３の実施形態と同様、入力された録画予約情報が記録装置１ａに転送される（ＳＴＥＰ３０３）。
【０１１１】
又、ＳＴＥＰ３０２において、記録装置１ａと接続されていない場合（Ｎｏ）、入力された録画予約情報がメモリ２３内の録画予約テーブルに格納される（ＳＴＥＰ３０４）。そして、入力された録画予約情報における録画開始時刻とメモリ２３内の警告用時刻とを比較し、入力された録画開始時刻が早い時刻であるか否かを確認する（ＳＴＥＰ４０１）。このとき、入力された録画開始時刻が警告用時刻より早い時刻であることが確認されると（Ｙｅｓ）、この入力された録画開始時刻が警告用時刻とされ、警告用時刻が更新されてメモリ２３内に格納される（ＳＴＥＰ４０２）。
【０１１２】
このＳＴＥＰ４０２における警告用時刻の更新が行われたとき、又は、ＳＴＥＰ４０１において、入力された録画開始時刻が警告用時刻より遅い時刻であるとき（Ｎｏ）、第３の実施形態と同様、警告表示部５１の点滅が確認され、警告表示部５１が点滅していないとき、警告表示部５１の点滅を開始する（ＳＴＥＰ３０５、ＳＴＥＰ３０６）。
【０１１３】
このように、録画予約動作が行われている再生装置２ａが、図２４のフローチャートに従って、以下のような警告切換動作を行う。まず、メモリ２３内の録画予約テーブルに録画予約情報が格納されているか否かを確認して、警告用時刻の有無を確認する（ＳＴＥＰ４５１）。このとき、警告用時刻がメモリ２３に格納されていない場合（Ｎｏ）、動作を終了する。又、警告用時刻がメモリ２３に格納されている場合（Ｙｅｓ）、格納されている警告用時刻がメモリ２３より読み出される（ＳＴＥＰ４５２）。
【０１１４】
そして、タイマ５２より確認される現在時刻から警告用時刻を減算した残り時間を確認し、この残り時間が所定の閾値（時間Ｔ１）以下であるか否かを確認する（ＳＴＥＰ４５３）。このとき、残り時間が時間Ｔ１以内であることが確認されると（Ｙｅｓ）、次に、この残り時間が０以下であるか否かが確認される（ＳＴＥＰ４５４）。更に、残り時間が０以下であることが確認されると（Ｙｅｓ）、警告用時刻を録画開始時刻として録画予約したコンテンツの録画が不可能であることを警告するために、図２５のように、警告用時刻を録画開始時刻とする録画予約情報が表示部２５ａに表示される（ＳＴＥＰ４５５）。このとき、この録画情報における録画開始時刻の変更を行うか否かをユーザに決定させるため、図２５に示すように、「開始時刻変更？」という表示を録画予約情報とともに表示部２５ａに行う。
【０１１５】
そして、操作部２６が操作されて録画開始時刻の変更を行うことが入力されたか否かを確認する（ＳＴＥＰ４５６）。このとき、録画開始時刻の変更を行うことが確認されると（Ｙｅｓ）、ＳＴＥＰ４５５で表示された録画予約情報における録画開始時刻を、操作部２６によって新たに入力された録画開始時刻に変更して、メモリ２３内の録画予約テーブルに格納する（ＳＴＥＰ４５７）。又、録画開始時刻の変更を行わずに録画予約情報の削除が指示された場合（Ｎｏ）、ＳＴＥＰ４５５で表示された録画予約情報がメモリ２３内の録画予約テーブルから削除される（ＳＴＥＰ４５８）。
【０１１６】
ＳＴＥＰ４５７における録画開始時刻の変更動作及びＳＴＥＰ４５８における録画予約情報の削除動作が行われると、メモリ２３内の録画予約テーブルの内容が確認されて最も早い時刻となる録画開始時刻を認識し、新たに警告用時刻として更新した後（ＳＴＥＰ４５９）、ＳＴＥＰ４５１に移行する。又、ＳＴＥＰ４５３において、残り時間が閾値となる時間Ｔ１より長い場合（Ｎｏ）、ＳＴＥＰ４５１に移行する。
【０１１７】
更に、ＳＴＥＰ４５４において、残り時間が０より長い場合、警告表示部５１の点滅速度を速くなるように切り換える（ＳＴＥＰ４６０）。そして、図２６のように、残り時間を現在時刻とともに表示部２５ａの一部に表示し、ユーザに残り時間を知らせる（ＳＴＥＰ４６１）。この残り時間の表示動作を行った後、ＳＴＥＰ４５１に移行する。尚、ＳＴＥＰ４６０において、残り時間が短くなるほど、警告表示部５１の点滅速度が速くなるように、その速度が切りかわるものとしても構わない。又、警告表示部５１の点滅速度が速くするとき、最終的に、警告表示部５１を点灯させて、ユーザに注意を与えるようにしても構わない。
【０１１８】
＜第５の実施形態＞
本発明の第５の実施形態について、図面を参照して説明する。尚、本実施形態の映像記録再生装置は、第３の実施形態と同様、図１のように構成され、又、記録装置の内部構成についても、第３の実施形態と同様、図１５のように構成される。再生装置の内部構成についても、第４の実施形態と同様、図２２のように構成される。
【０１１９】
本実施形態の映像記録再生装置では、記録装置１ａが再生装置２ｂに接続されて、再生装置２ｂのメモリ２３内の録画予約テーブルにおける録画予約情報が記録装置１ａに転送されたとき、記録装置１ａのメモリ１５に格納された録画予約テーブルにおける内容と、再生装置２ｂのメモリ２３に格納された録画予約テーブルにおける内容とが、同一のものとされる。即ち、再生装置２ｂのメモリ２３に格納された録画予約テーブルを確認することで、記録装置１ａにおける録画予約状態を確認することができる。よって、再生装置２ｂで録画予約が成されたとき、再生装置２ｂの録画予約情報が記録装置１ａに転送されるまで、再生装置２ｂに格納されている録画予約情報が記録装置１ａに格納されている録画予約情報より多くなる。
【０１２０】
このとき、再生装置２ｂにおいて、メモリ２３内の録画予約テーブルには、録画予約情報を記録装置１ａに転送したか否かを示す転送状態が記録される。即ち、図２７に示すように、記録装置１ａに既に転送した録画予約情報については、転送されたことを示す「転送済」が記録されるとともに、未だ記録装置１ａに転送されていない録画予約情報については、転送されていないことを示す「未転送」が記録される。又、本実施形態においても、第４の実施形態と同様、警告時刻を備えるが、この警告時刻は、転送状態が「未転送」とされて未だ記録装置１ａに転送されていない録画予約情報の録画開始時刻において、最も早い時刻となる録画開始時刻に設定される。
【０１２１】
又、メモリ２３内の再生側のコンテンツ参照用テーブルには、記録媒体２２内に格納されたコンテンツデータによるコンテンツが視聴されたか否かを示す視聴状態が記録される。即ち、図２８に示すように、コンテンツ参照用テーブルの視聴状態の欄において、再生装置２ｂにおいて既に視聴されたコンテンツについては、視聴されたことを示す「視聴済」が記録されるとともに、未だ再生装置２ｂで視聴されていないコンテンツについては、視聴されていないことを示す「未視聴」が記録される。
【０１２２】
このような映像記録再生装置において、再生装置２ｂで、メモリ２３内のコンテンツ参照用テーブル及び録画予約テーブルにおけるメモリ使用量欄が確認されることで、記録媒体２２の空き容量が確認される。又、再生装置２ｂは、自機器の記録媒体２２の空きメモリ容量を確認することによって、同一のコンテンツが記録される記録装置１ａの記録媒体１４の空きメモリ容量についても、推測することができる。
【０１２３】
このとき、まず、コンテンツ参照用テーブルを参照して、記録媒体２２に格納されたコンテンツによって使用されるメモリ使用量の総メモリ容量を確認するとともに、録画予約テーブルを参照して、録画予約されているコンテンツに対して予測されたメモリ使用量（予測メモリ容量とする）の総メモリ容量を確認する。そして、このメモリ使用量及び予測メモリ容量それぞれの総メモリ容量が、記録媒体１４と記録媒体２２の総メモリ容量から減算されることで、記録媒体２２の空きメモリ容量（空き容量）が確認されるとともに、記録媒体１４の空きメモリ容量が推測される。そして、このように確認及び推測された記録媒体２２，１４の空きメモリ容量がメモリ２３内に格納される。
【０１２４】
尚、記録媒体１４，２２の空きメモリ容量が確認されるとき、記録媒体１４，２２の実際の空きメモリ容量から予測メモリ容量の総メモリ容量を減算して、記録媒体１４，２２の空きメモリ容量の確認及び記録媒体１４の空きメモリ容量の推測それぞれが行われるものとしても構わない。又、メモリ２３に格納される記録媒体１４，２２の空きメモリ容量は、メモリ２３内の録画予約テーブルにおける録画予約情報が削除又は追加されて変更されるときに、確認されて格納されるものとしても構わないし、定期的に記録媒体１４，２２の空きメモリ容量が確認されて格納されるものとしても構わない。
【０１２５】
このようにして記録装置１ａの記録媒体１４及び再生装置２ｂの記録媒体２２それぞれの空きメモリ容量をメモリ２３に格納した再生装置２ｂは、図２９のフローチャートに従って録画予約動作を行う。即ち、ＳＴＥＰ３０１においてユーザによって録画予約情報が入力されると、入力された録画開始時刻と録画終了時刻によって録画時間を確認し、使用するメモリ容量を予測する（ＳＴＥＰ５０１）。そして、予測したメモリ容量とともに、ＳＴＥＰ３０１で入力された録画予約情報をメモリ２３内の録画予約テーブルに追加する（ＳＴＥＰ５０２）。その後、記録装置１ａと接続しているか否かを確認する（ＳＴＥＰ３０２）。
【０１２６】
このとき、記録装置１ａと接続していないときは（Ｎｏ）、ＳＴＥＰ５０３においてメモリ２３内の録画予約テーブルに追加された録画予約情報に対して、未だ記録装置１ａに転送されていない状態を表す「未転送」を転送状態として格納した後（ＳＴＥＰ５０３）、ＳＴＥＰ４０１に移行して、以下、第４の実施形態と同様の動作を行う。又、記録装置１ａと接続しているときは（Ｙｅｓ）、入力された録画予約情報を記録装置１ａに転送した後（ＳＴＥＰ３０３）、ＳＴＥＰ５０２においてメモリ２３内の録画予約テーブルに追加された録画予約情報に対して、記録装置１ａに転送したことを表す「転送済」を転送状態として格納する（ＳＴＥＰ５０４）。
【０１２７】
尚、再生装置２ｂが上述の録画予約動作を行う際、ＳＴＥＰ３０１において録画予約情報が入力されるとき、メモリ２３に格納された記録媒体１４の空きメモリ容量が表示部２５ａに表示されるようにして、ユーザが記録できる空きメモリ容量を確認できるようにしても構わない。又、このとき、メモリ２３に格納された記録媒体１４の空きメモリ容量より録画可能な時間を演算し、表示部２５ａに表示するようにしても構わない。
【０１２８】
このように録画予約動作を行う再生装置２ｂを備える映像記録再生装置において、再生装置２ｂが記録装置１ａに載置されて接続されると、第４の実施形態と同様、記録装置１ａと再生装置２ｂとの間におけるコンテンツの転送動作が行われるとともに、再生装置２ｂから記録装置１ａへの録画予約情報の転送が行われる。この記録装置１ａに再生装置２ｂが接続されたときの動作について、以下に図面を参照して説明する。尚、図３０は、データ転送時における再生装置２ｂの動作の一部を示すフローチャートである。この図３０のフローチャートにおいて、図２０のフローチャートと同一の動作については、同一のステップを付してその詳細な説明は省略する。
【０１２９】
まず、再生装置２ｂの動作について説明する。記録装置１ａとの接続を確認した後、記録装置１ａより電力供給用接続部３０を介して電力供給されると（ＳＴＥＰ１０１，ＳＴＥＰ１０２）、メモリ２３内の録画予約テーブルが確認されて、転送状態が「未転送」とされる録画予約情報を確認することで、未だ転送されていない録画予約情報があるか否かが確認される（ＳＴＥＰ３３１）。
【０１３０】
そして、転送されていない録画予約情報が有るときは（Ｙｅｓ）、この転送されていない録画予約情報を記録装置１ａに転送した後（ＳＴＥＰ３３２）、転送した録画予約情報それぞれの転送状態を「転送済」として、メモリ２内の録画予約テーブルに対して転送済であることを格納する（ＳＴＥＰ３７１）。その後、警告表示部５１を消灯すると、図１４のフローチャートにおけるＳＴＥＰ１０３に移行する。又、ＳＴＥＰ３３１において、メモリ２３内の録画予約テーブルにおける録画予約情報が全て転送済である場合も（Ｎｏ）、図１４のフローチャートにおけるＳＴＥＰ１０３に移行する。
【０１３１】
そして、図１４のフローチャートに従って再生装置２ｂが動作することにより、記録装置１ａから転送されるコンテンツを記録媒体２２に格納するとき、記録媒体２２に格納したコンテンツに関する情報をメモリ２３内のコンテンツ参照用テーブルに格納する。このとき、図１４のフローチャートにおいて不図示であるが、転送されて記録媒体２２に格納したコンテンツの録画予約情報をメモリ２３内の録画予約テーブルより削除する。このようにして再生装置２ｂが動作する際、記録装置１ａは、第４の実施形態と同様、図２１及び図１３のフローチャートに従って動作することにより、再生装置２ｂから転送される録画予約情報をメモリ１５内の録画予約テーブルに格納し、又、コンテンツを削除するとともに、再生装置２ｂとのコンテンツの交換を行う。
【０１３２】
又、再生装置２ｂは、記録装置１ａで記録されるコンテンツのメモリ使用量に基づいて、再生装置２ａに転送すべき時期や、未転送のコンテンツが削除されることが、警告表示部５１によって警告される。このときの警告動作について、図３１のフローチャートに従って説明する。このとき、まず、記録装置１ａに載置されて接続されているか否かが確認される（ＳＴＥＰ６０１）。そして、記録装置１ａとの接続が確認されなかったとき（Ｎｏ）、メモリ２３内の録画予約テーブルにおける転送済の各録画予約情報における録画終了時刻とタイマ５２より確認される現在時刻とが一致しているか否かを確認して、記録装置１ａで新たにコンテンツが記録されたか否かが確認される（ＳＴＥＰ６０２）。
【０１３３】
このとき、記録装置１ａで新たにコンテンツが録画されているものと判断すると（Ｙｅｓ）、メモリ２３内の録画予約テーブルより録画終了時刻が現在時刻より早い時刻となるコンテンツの予測メモリ容量に基づいて、記録装置１ａから再生装置２ｂに転送されていないコンテンツ全てのメモリ使用量の和（以下、このメモリ使用量の和を「未転送コンテンツ容量」とする）が確認される（ＳＴＥＰ６０３）。そして、次に、ＳＴＥＰ６０２で記録されたものと判断されたコンテンツの次に記録されるとともにその録画予約情報が記録装置１ａに転送されているコンテンツのメモリ使用量（以下、このメモリ使用量を「次回記録コンテンツ容量」とする）を確認する（ＳＴＥＰ６０４）。
【０１３４】
この未転送コンテンツ容量と次回記録コンテンツ容量を確認すると、未転送コンテンツ容量と次回記録コンテンツ容量との和が記録装置１ａの記録媒体１４のメモリ容量よりも大きくなるか否かが確認されることで、記録装置１ａから再生装置２ｂに転送されていないコンテンツが削除されるか否かが確認される（ＳＴＥＰ６０５）。このとき、記録装置１ａにおいて次に記録されるコンテンツを記録する際に削除されるコンテンツがないものと判断すると（Ｎｏ）、次に、メモリ２３内の再生側のコンテンツ参照用テーブルより視聴されていないコンテンツのメモリ使用量の和（以下、このメモリ使用量の和を「未視聴コンテンツ容量」とする）を確認する（ＳＴＥＰ６０６）。
【０１３５】
そして、ＳＴＥＰ６０３、ＳＴＥＰ６０４、及びＳＴＥＰ６０６のそれぞれで確認された未転送コンテンツ容量、次回記録コンテンツ容量、及び未視聴コンテンツ容量の和を求め、この容量の和が再生装置２ｂの記録媒体２２のメモリ容量よりも大きくなるか否かが確認されることで、記録装置１ａ及び再生装置２ｂの両方に格納される未視聴のコンテンツを全て記録媒体２２に記録することが可能か否かが確認される（ＳＴＥＰ６０７）。このとき、記録装置１ａにおいて次に記録されるコンテンツを記録する際に記録装置１ａ及び再生装置２ｂの両方に格納される未視聴のコンテンツを記録することが不可能であると判断すると（Ｎｏ）、次のコンテンツが記録装置１ａにおいて記録されるまでに転送が必要であることを示す警告表示が、警告表示部５１によって成される（ＳＴＥＰ６０８）。
【０１３６】
又、ＳＴＥＰ６０５において、次のコンテンツが記録装置１ａにおいて記録されるときに未転送のコンテンツが削除されるものと判断すると（Ｙｅｓ）、未転送のコンテンツが削除されることを示す警告表示が、警告表示部５１によって成される（ＳＴＥＰ６０９）。このように、ＳＴＥＰ６０８及びＳＴＥＰ６０９において、警告表示部５１による警告表示がなされたとき、又は、ＳＴＥＰ６０７において、記録装置１ａ及び再生装置２ｂの両方に格納される未視聴のコンテンツを全て記録媒体２２に記録することが可能であると判断したとき（Ｙｅｓ）、再び、ＳＴＥＰ６０１以降の動作を行う。
【０１３７】
又、ＳＴＥＰ６０１において、記録装置１ａとの接続が確認されると（Ｙｅｓ）、警告表示部５１によってＳＴＥＰ６０８又はＳＴＥＰ６０９による警告表示が成されているか否かが確認される（ＳＴＥＰ６１０）。このとき、警告表示が成されている場合は（Ｙｅｓ）、警告表示部５１による警告表示を停止した後（ＳＴＥＰ６１１）、動作を終了し、又、警告表示が成されていない場合は（Ｎｏ）、そのまま、動作を終了する。
【０１３８】
このように動作することによって、再生装置２ｂが記録装置１ａと接続されていないときに、記録装置１ａに記録されるコンテンツの状態を警告表示部５１で警告することで、再生装置２ｂを携帯しているユーザに記録装置１ａとの接続を促すことができる。尚、ＳＴＥＰ６０８及びＳＴＥＰ６０９における警告表示部５１により警告表示は、転送不可能なコンテンツ又は削除されるコンテンツが表示されるようにしても構わないし、又、それぞれの警告を示すＬＥＤを別に備えて、それぞれのＬＥＤを発光させることで警告表示を行うようにしても構わない。
【０１３９】
＜第６の実施形態＞
本発明の第６の実施形態について、図面を参照して説明する。図３２は、本実施形態の映像記録再生装置における記録装置の内部構成を示すブロック図である。尚、本実施形態の映像記録再生装置は、第１の実施形態と同様、図１のように構成され、又、再生装置の内部構成についても、第１の実施形態と同様、図３のように構成される。又、図３２の記録装置において、図２の記録装置と同一の目的で使用する部分については、同一の符号を付してその詳細な説明は省略する。
【０１４０】
本実施形態の映像記録再生装置における記録装置１ｂ（図１の記録装置１に相当する）は、図３２に示すように、図２の構成におけるエンコーダ１３の代わりに、圧縮率の低い圧縮符号化方式（例えば、ＭＪＰＥＧなど）によって放送信号の符号化及び復号化を行うＣＯＤＥＣ１３ａと、ＣＯＤＥＣ１３ａの圧縮符号化方式に比べて圧縮率の高い圧縮符号化方式（例えば、Ｈ．２６３など）によって放送信号の符号化を行うエンコーダ６０と、を備える。又、再生装置２のデコーダ２４は、記録装置１ｂにおけるＣＯＤＥＣ１３ａ及びエンコーダ６０それぞれの圧縮符号化方式を選択することができるものとする。尚、このＣＯＤＥＣ１３ａにおける圧縮率の低い圧縮符号化方式を「圧縮符号化方式Ａ」とし、又、エンコーダ６０における圧縮率の高い圧縮符号化方式を「圧縮符号化方式Ｂ」とする。
【０１４１】
このように構成される映像記録再生装置において、記録装置１ｂでは、チューナ１２で受信された放送信号がＣＯＤＥＣ１３ａに与えられると、圧縮符号化方式Ａによって放送信号を符号化した後、記録媒体１４に格納する。その後、記録装置１ｂに再生装置２が載置されて、記録媒体１４に格納されたコンテンツが再生装置２に転送されるとき、まず、記録媒体１４に格納されたコンテンツデータが読み出されて、ＣＯＤＥＣ１３ａに与えられる。
【０１４２】
そして、ＣＯＤＥＣ１３ａにおいて、圧縮符号化方式Ａに基づいて、このコンテンツデータが復号化されると、エンコーダ６０に与えられ、圧縮符号化方式Ｂに基づいて符号化される。このようにして、圧縮符号化方式Ｂに基づいて符号化されたコンテンツデータに変換されたコンテンツが、Ｉ／Ｆ１７より再生装置２に送信される。この圧縮符号化方式Ｂに基づいて符号化されたコンテンツデータが再生装置２のＩ／Ｆ２１で受信されると、この圧縮符号化方式Ｂで符号化されたコンテンツデータを記録媒体２２に格納する。
【０１４３】
又、記録装置１ｂに再生装置２が載置された状態で、再生装置２の操作部２６が操作されて、コンテンツの再生が指示されたとき、記録装置１ｂにおいて、記録媒体１４内に格納されたコンテンツのコンテンツデータが読み出されてＩ／Ｆ１７より再生装置２に送信される。このとき、再生装置２に送信されるコンテンツデータは、圧縮符号化方式Ａに準じたデータであるため、再生装置２では、Ｉ／Ｆ２１で受信したコンテンツデータをデコーダ２４で圧縮符号化方式Ａで復号化した後、このコンテンツの映像及び音声を表示部２５ａ及びスピーカ２５ｂで再生出力する。
【０１４４】
更に、再生装置２が記録装置１ｂから分離された状態で、再生装置２の操作部２６が操作されて、コンテンツの再生が指示されたとき、再生装置２において、記録媒体２２内に格納されたコンテンツのコンテンツデータが読み出されて、デコーダ２４に与えられる。よって、このコンテンツデータが圧縮符号化方式Ｂに準じたデータであるため、デコーダ２４において圧縮符号化方式Ｂで復号化した後、このコンテンツの映像及び音声を表示部２５ａ及びスピーカ２５ｂで再生出力する。
【０１４５】
このように動作することで、記録装置１ｂの記録媒体１４には、そのメモリ使用量が大きくなる圧縮符号化方式Ａで符号化されたコンテンツが格納されるとともに、再生装置２の記録媒体２２には、そのメモリ使用量が小さくなる圧縮符号化方式Ｂで符号化されたコンテンツが格納される。よって、本実施形態のように構成することで、再生装置２の記録媒体のメモリ容量を、記録媒体１ｂの記録媒体１４のメモリ容量より小さくすることができる。更に、再生装置２が記録媒体１ｂに接続されるときに、記録媒体１ｂに格納された圧縮率の低いデータを再生することで、再生されたコンテンツの復元性を良好にすることができる。
【０１４６】
尚、本実施形態において、第１又は第２の実施形態における記録装置１の構成を変化させた記録装置１ｂに基づいて説明としたが、図３３のように、第３〜第５の実施形態における記録装置１ａの構成を変化させた記録装置１ｃにおいても同様である。即ち、記録装置１ｃは、図３３に示すように、図１５のような記録装置１ａの構成におけるエンコーダ１３の代わりに、ＣＯＤＥＣ１３ａ及びエンコーダ６０が設けられた構成となる。
【０１４７】
又、図３４の記録装置１ｄのように、図３２の構成からＣＯＤＥＣ１３ａを省いた構成とするとともに、チューナ１２で受信した放送信号をそのまま記録媒体１４に格納するものとしても構わない。更に、このとき、図３５の再生装置２ｃのように、記録媒体１４で格納された放送信号を符号化するためのエンコーダ６１を備えるものとしても構わない。このとき、記録装置１ｄに格納されたコンテンツが再生装置２ｃに与えられると、再生装置２ｃに備えられたエンコーダ６１によって符号化して記録媒体２３に格納する。更に、図３６の再生装置２ｄのように図３５のエンコーダ６１の代わりにＣＯＤＥＣ６２を設けて、記録装置１，１ａから転送されるコンテンツのコンテンツデータを記録装置１，１ａのエンコーダ１３における圧縮符号化方式よりも圧縮率の高い圧縮符号化方式で符号化して記録媒体２３に格納するようにしても構わない。
【０１４８】
又、第１〜第６の実施形態において、記録装置１，１ａ〜１ｄがＥＰＧ（Electric Program Guide）を記録媒体１４又はメモリ１５に記録するとともに、再生装置２，２ａ〜２ｄに対して、記録装置１，１ａ〜１ｄと接続したときの現在時刻以降のＥＰＧの内容を転送するものとしても構わない。このとき、再生装置２，２ａ〜２ｄがメモリ２３にＥＰＧを格納するとともに、録画予約情報が入力されるときＥＰＧを読み出すことで、そのコンテンツ名及びメモリ使用容量を確認することができる。よって、録画予約されたコンテンツに対して、より正確なメモリ使用容量を予測することができるとともに、各テーブルに番組名などのコンテンツ名を格納することができる。更に、記録装置１，１ａ〜１ｄがアンテナより放送信号を受信するものとしたが、ケーブルや光ファイバやＤＳＬ（Digital Subscriber Line）回線などと有線接続され、この有線接続された回線より受信するものとしても構わない。
【産業上の利用可能性】
【０１４９】
本発明の映像記録再生装置は、ハードディスクやＤＶＤなどの記録媒体にコンテンツを記録する記録装置と、記録装置に記録されたコンテンツを再生する再生装置とが分離することが可能な装置に適用可能である。又、ノートパソコンやＰＤＡ（Personal Digital Assistant）や携帯電話などの携帯型の端末装置を再生装置とするような映像記録再生装置に適用可能である。
【図面の簡単な説明】
【０１５０】
【図１】は、第１〜第６の実施形態の映像記録再生装置の構成を示す図である。
【図２】は、第１の実施形態の映像記録再生装置における記録装置の内部構成を示すブロック図である。
【図３】は、第１の実施形態の映像記録再生装置における再生装置の内部構成を示すブロック図である。
【図４】は、第１の実施形態の記録装置におけるコンテンツ参照用テーブル内の状態を示す図である。
【図５】は、再生装置におけるコンテンツ参照用テーブル内の状態を示す図である。
【図６】は、第１の実施形態における再生装置の表示例を示す図である。
【図７】は、コンテンツ転送時における第１の実施形態の記録装置の動作を示すフローチャートである。
【図８】は、コンテンツ転送時における第１の実施形態の再生装置の動作を示すフローチャートである。
【図９】は、再生装置の充電動作を示すフローチャートである。
【図１０】は、第１の実施形態の映像記録再生装置の動作を説明するための記録装置及び再生装置それぞれにおける記録媒体の状態遷移図である。
【図１１】は、第１の実施形態の映像記録再生装置の動作を説明するための記録装置及び再生装置それぞれにおける記録媒体の状態遷移図である。
【図１２】は、第２の実施形態の記録装置におけるコンテンツ参照用テーブル内の状態を示す図である。
【図１３】は、コンテンツ転送時における第２の実施形態の記録装置の動作を示すフローチャートである。
【図１４】は、コンテンツ転送時における第２の実施形態の再生装置の動作を示すフローチャートである。
【図１５】は、第３の実施形態の映像記録再生装置における記録装置の内部構成を示すブロック図である。
【図１６】は、第３の実施形態の映像記録再生装置における再生装置の内部構成を示すブロック図である。
【図１７】は、記録装置における録画予約テーブル内の状態を示す図である。
【図１８】は、再生装置における録画予約テーブル内の状態を示す図である。
【図１９】は、録画予約動作時における第３の実施形態の再生装置の動作を示すフローチャートである。
【図２０】は、コンテンツ転送時における第３の実施形態の再生装置の動作の一部を示すフローチャートである。
【図２１】は、コンテンツ転送時における第３の実施形態の記録装置の動作の一部を示すフローチャートである。
【図２２】は、第４の実施形態の映像記録再生装置における再生装置の内部構成を示すブロック図である。
【図２３】は、録画予約動作時における第４の実施形態の再生装置の動作を示すフローチャートである。
【図２４】は、第４の実施形態の再生装置の警告切換動作を示すフローチャートである。
【図２５】は、第４の実施形態における再生装置の表示例を示す図である。
【図２６】は、第４の実施形態における再生装置の別の表示例を示す図である。
【図２７】は、第５の実施形態の再生装置における録画予約テーブル内の状態を示す図である。
【図２８】は、第５の実施形態の再生装置におけるコンテンツ参照テーブル内の状態を示す図である。
【図２９】は、録画予約動作時における第５の実施形態の再生装置の動作を示すフローチャートである。
【図３０】は、コンテンツ転送時における第５の実施形態の再生装置の動作の一部を示すフローチャートである。
【図３１】は、第５の実施形態の再生装置の転送警告動作を示すフローチャートである。
【図３２】は、第６の実施形態の映像記録再生装置における記録装置の内部構成の一例を示すブロック図である。
【図３３】は、第６の実施形態の映像記録再生装置における記録装置の内部構成の別の例を示すブロック図である。
【図３４】は、第６の実施形態の映像記録再生装置における記録装置の内部構成の別の例を示すブロック図である。
【図３５】は、図３４の記録装置に対する再生装置の内部構成の一例を示すブロック図である。
【図３６】は、図３４の記録装置に対する再生装置の内部構成の別の例を示すブロック図である。
【符号の説明】
【０１５１】
１，１ａ〜１ｄ    記録装置
２，２ａ〜２ｄ    再生装置
１１    アンテナ
１２    チューナ
１３    エンコーダ
１４    記録媒体
１５    メモリ
１６    ＣＰＵ
１７    Ｉ／Ｆ
１８    バス
１９    電源回路
２０    電力供給部
２１    Ｉ／Ｆ
２２    記録媒体
２３    メモリ
２４    デコーダ
２５ａ    表示部
２５ｂ    スピーカ
２６    操作部
２７    ＣＰＵ
２８    バス
２９    二次電池
３０    電力供給用接続部
【図１】
2006107549.tif 000003
【図２】
2006107549.tif 000004
【図３】
2006107549.tif 000005
【図４】
2006107549.tif 000006
【図５】
2006107549.tif 000007
【図６】
2006107549.tif 000008
【図７】
2006107549.tif 000009
【図８】
2006107549.tif 000010
【図９】
2006107549.tif 000011
【図１０】
2006107549.tif 000012
【図１１】
2006107549.tif 000013
【図１２】
2006107549.tif 000014
【図１３】
2006107549.tif 000015
【図１４】
2006107549.tif 000016
【図１５】
2006107549.tif 000017
【図１６】
2006107549.tif 000018
【図１７】
2006107549.tif 000019
【図１８】
2006107549.tif 000020
【図１９】
2006107549.tif 000021
【図２０】
2006107549.tif 000022
【図２１】
2006107549.tif 000023
【図２２】
2006107549.tif 000024
【図２３】
2006107549.tif 000025
【図２４】
2006107549.tif 000026
【図２５】
2006107549.tif 000027
【図２６】
2006107549.tif 000028
【図２７】
2006107549.tif 000029
【図２８】
2006107549.tif 000030
【図２９】
2006107549.tif 000031
【図３０】
2006107549.tif 000032
【図３１】
2006107549.tif 000033
【図３２】
2006107549.tif 000034
【図３３】
2006107549.tif 000035
【図３４】
2006107549.tif 000036
【図３５】
2006107549.tif 000037
【図３６】
2006107549.tif 000038